(57)【特許請求の範囲】
【請求項１】
画像送信装置と、表示装置とを含む画像伝送システムであって、
前記画像送信装置は、
Ｎを２以上の整数としたとき、Ｎ個の表示画像を表示順に多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が受信した多重化画像内の表示画像を、前記表示画像の１フレーム期間分だけ遅延して参照画像を生成する遅延手段と、
前記受信手段が前記多重化画像内の表示画像を受信するたびに、該表示画像の画素値を、前記遅延手段にて生成された参照画像に基づいて変換して、該表示画像に対応する補正画像を生成する生成手段と、
複数の画素を有し、前記生成手段が生成した補正画像に基づいて前記複数の画素を走査して、前記補正画像に応じた画像を表示する表示手段と、
前記受信手段が受信した多重化画像内の表示画像に、前記遅延手段で生成された参照画像に応じた画像処理を施す画像処理手段と、を含み、
前記生成手段は、前記画像処理手段が画像処理を施した表示画像の画素値を変換する、画像伝送システム。
【請求項２】
請求項１に記載の画像伝送システムにおいて、
前記多重化手段は、前記Ｎ個の表示画像を面順次形式で多重化し、
前記表示画像の１フレーム期間をＴｓとしたとき、前記補正画像の走査期間をＴｓとする、画像伝送システム。
【請求項３】
請求項１に記載の画像伝送システムにおいて、
前記多重化手段は、Ｋを１より大きい実数としたとき、前記Ｎ個の表示画像のそれぞれに、該表示画像の画素数のＫ−１倍の画像数のダミー画像を面順次形式で多重化し、該ダミー画像が多重化された表示画像を面順次形式で多重化し、
前記表示画像の１フレーム期間をＴｓとしたとき、前記補正画像の走査期間をＴｓ／Ｋとする、画像伝送システム。
【請求項４】
画像送信装置と、表示装置とを含む画像伝送システムであって、
前記画像送信装置は、
Ｎを２以上の整数としたとき、Ｎ個の表示画像を多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が受信した多重化画像内の表示画像を全て記憶する記憶手段と、
前記記憶手段に記憶された表示画像のそれぞれの画素値を、前記記憶手段に記憶された該表示画像より表示順が一つ前の参照画像に基づいて変換して、前記表示画像のそれぞれに対応するＮ個の補正画像を生成する生成手段と、
前記生成手段が生成した補正画像を全て記憶する記録手段と、
複数の画素を有し、前記記録手段に記録された補正画像に基づいて前記複数の画素を走査して、前記補正画像に応じた画像を表示する表示手段と、を含み、
前記生成手段は、前記表示画像のうちの表示順が最も早い表示画像の画素値を、前記表示画像のうちの表示順が最も遅い表示画像を前記参照画像として用いて変換する、画像伝送システム。
【請求項５】
画像送信装置と、表示装置とを含む画像伝送システムであって、
前記画像送信装置は、
Ｎを２以上の整数としたとき、Ｎ個の表示画像を多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が受信した多重化画像内の表示画像を全て記憶する記憶手段と、
前記記憶手段に記憶された表示画像のそれぞれの画素値を、前記記憶手段に記憶された該表示画像より表示順が一つ前の参照画像に基づいて変換して、前記表示画像のそれぞれに対応するＮ個の補正画像を生成する生成手段と、
前記生成手段が生成した補正画像を全て記憶する記録手段と、
複数の画素を有し、前記記録手段に記録された補正画像に基づいて前記複数の画素を走査して、前記補正画像に応じた画像を表示する表示手段と、を含み、
前記多重化手段は、前記表示画像のうちの表示順が最も早い表示画像より表示順が１つ前の表示画像を付加画像としてさらに多重化し、
前記生成手段は、前記多重化画像内の表示画像のうちの表示順が最も早い表示画像の画素値を、前記多重化画像内の付加画像を参照画像として用いて変換する、画像伝送システム。
【請求項６】
画像送信装置と、表示装置とを含む画像伝送システムであって、
前記画像送信装置は、
Ｎを２以上の整数としたとき、Ｎ個の表示画像を多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が受信した多重化画像内の表示画像を全て記憶する記憶手段と、
前記記憶手段に記憶された表示画像のそれぞれの画素値を、前記記憶手段に記憶された該表示画像より表示順が一つ前の参照画像に基づいて変換して、前記表示画像のそれぞれに対応するＮ個の補正画像を生成する生成手段と、
前記生成手段が生成した補正画像を全て記憶する記録手段と、
複数の画素を有し、前記記録手段に記録された補正画像に基づいて前記複数の画素を走査して、前記補正画像に応じた画像を表示する表示手段と、
前記表示装置は、前記記憶手段に記憶された表示画像のそれぞれに、該表示画像と異なる表示画像に応じた画像処理を施す画像処理手段と、を含み、
前記生成手段は、前記画像処理手段が画像処理を施した表示画像の画素値を変換する、画像伝送システム。
【請求項７】
請求項４ないし６のいずれか１項に記載の画像伝送システムにおいて、
前記多重化手段は、前記Ｎ個の表示画像を表示順に面順次形式で多重化し、
前記表示画像の１フレーム期間をＴｓとしたとき、前記補正画像の走査期間をＴｓとする、画像伝送システム。
【請求項８】
請求項４ないし６のいずれか１項に記載の画像伝送システムにおいて、
前記多重化手段は、前記Ｎ個の表示画像を表示順に面順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項９】
請求項４ないし６のいずれか１項に記載の画像伝送システムにおいて、
前記多重化手段は、前記Ｎ個の表示画像を、各表示画像の同じ位置の画素値を並べて配置していく点順次形式で多重化し、
前記表示画像の１フレーム期間をＴｓとしたとき、前記補正画像の走査期間をＴｓとする、画像伝送システム。
【請求項１０】
請求項４ないし６のいずれか１項に記載の画像伝送システムにおいて、
前記多重化手段は、前記Ｎ個の表示画像を、各表示画像の同じ位置の画素値を並べて配置していく点順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項１１】
請求項４ないし１０のいずれか１項に記載の画像伝送システムにおいて、
前記表示装置は、前記記憶手段に記憶された多重化画像内の表示画像のうち、表示順が最も遅い表示画像を前記多重化画像の１フレーム期間だけ遅延する延引手段をさらに含み、
前記生成手段は、前記多重化画像内の表示画像のうちの表示順が最も早い表示画像の画素値を、前記延引手段で遅延された表示画像を前記参照画像として用いて変換する、画像伝送システム。
【請求項１２】
請求項５に記載の画像伝送システムにおいて、
前記表示装置は、前記記憶手段に記憶された表示画像のそれぞれに、該表示画像と、該表示画像と異なる表示画像および前記付加画像の少なくとも一方に応じた画像処理を施す画像処理手段をさらに含み、
前記生成手段は、前記画像処理手段が画像処理を施した表示画像の画素値を変換する、画像伝送システム。
【請求項１３】
画像送信装置と、表示装置とを含む画像伝送システムであって、
前記画像送信装置は、
Ｎを２以上の整数としたとき、Ｎ個の表示画像を多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が前記多重化画像内の表示画像の画素値を受信するたびに、該画素値を、前記受信手段が受信した多重化画像内の該表示画像より表示順が一つ前の参照画像に基づいて変換していき、該多重化画像内の表示画像のそれぞれに対応するＮ個の補正画像を生成する生成手段と、
前記生成手段が生成した補正画像を全て記憶する記録手段と、
複数の画素を有し、前記記録手段が記憶した補正画像に基づいて前記複数の画素を走査して、前記補正画像に応じた画像を表示する表示手段と、
前記受信手段が受信した多重化画像内の表示画像のうち、表示順が最も遅い表示画像を前記多重化画像の１フレーム期間だけ遅延する延引手段と、を含み、
前記生成手段は、前記多重化画像内の表示画像のうちの表示順が最も早い表示画像の画素値を、前記延引手段で遅延された表示画像を前記参照画像として用いて変換する、画像伝送システム。
【請求項１４】
画像送信装置と、表示装置とを含む画像伝送システムであって、
前記画像送信装置は、
Ｎを２以上の整数としたとき、Ｎ個の表示画像を多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が前記多重化画像内の表示画像の画素値を受信するたびに、該画素値を、前記受信手段が受信した多重化画像内の該表示画像より表示順が一つ前の参照画像に基づいて変換していき、該多重化画像内の表示画像のそれぞれに対応するＮ個の補正画像を生成する生成手段と、
前記生成手段が生成した補正画像を全て記憶する記録手段と、
複数の画素を有し、前記記録手段が記憶した補正画像に基づいて前記複数の画素を走査して、前記補正画像に応じた画像を表示する表示手段と、
前記受信手段が受信した多重化画像内の表示画像のそれぞれに、該表示画像と異なる表示画像に応じた画像処理を施す画像処理手段と、を含み、
前記生成手段は、前記画像処理手段が画像処理を施した表示画像の画素値を変換する、画像伝送システム。
【請求項１５】
請求項１３または１４に記載の画像伝送システムにおいて、
前記多重化手段は、前記Ｎ個の表示画像を、各表示画像の同じ位置の画素値を並べて配置していく点順次形式で多重化し、
前記表示画像の１フレーム期間をＴｓとしたとき、前記補正画像の走査期間をＴｓとする、画像伝送システム。
【請求項１６】
請求項１３または１４に記載の画像伝送システムにおいて、
前記多重化手段は、前記Ｎ個の表示画像を、各表示画像の同じ位置の画素値を並べて配置していく点順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項１７】
請求項１３または１４に記載の画像伝送システムにおいて、
前記多重化手段は、前記多重化画像に、該多重化画像の画素数の（Ｎ−２）／２倍の画素数のダミー画像を面順次形式にて多重化し、
前記表示画像の１フレーム期間をＴｓとしたとき、前記補正画像の走査期間をＴｓとする、画像伝送システム。
【請求項１８】
請求項１３または１４に記載の画像伝送システムにおいて、
前記多重化手段は、Ｋを１より大きい実数としたとき、前記多重化画像に、該多重化画像の画素数の｛ＫＮ−（１＋Ｋ）｝／（１＋Ｋ）倍の画素数のダミー画像を面順次形式にて多重化し、
前記表示画像の１フレーム期間をＴｓとしたとき、前記補正画像の走査期間を、Ｔｓ／Ｋとする、画像伝送システム。
【請求項１９】
請求項１３ないし１８のいずれか１項に記載の画像伝送システムにおいて、
前記多重化手段は、前記表示画像のうちの表示順が最も早い表示画像より表示順が１つ前の表示画像を付加画像としてさらに多重化し、
前記生成手段は、前記多重化画像内の表示画像のうちの表示順が最も早い表示画像の画素値を、前記多重化画像内の付加画像を参照画像として用いて変換する、画像伝送システム。
【請求項２０】
請求項１９に記載の画像伝送システムにおいて、
前記表示装置は、前記受信手段が受信した多重化画像内の表示画像のそれぞれに、該表示画像と異なる表示画像および前記付加画像の少なくとも一方に応じた画像処理を施す画像処理手段をさらに含み、
前記生成手段は、前記画像処理手段が画像処理を施した表示画像の画素値を変換する、画像伝送システム。
【請求項２１】
画像送信装置と、表示装置とを含む画像伝送システムであって、
前記画像送信装置は、
Ｎを２以上の整数としたとき、Ｎ個の表示画像と、前記Ｎ個の表示画像のうち、最も表示順が早い第一表示画像より表示順が一つ前の付加画像とを多重化して多重化画像を生成する多重化手段と、
前記多重化手段にて生成された多重化画像を送信する送信手段と、を含み、
前記表示装置は、
前記画像送信装置から前記多重化画像を受信する受信手段と、
前記受信手段が受信した多重化画像内の第一表示画像の画素値を、前記付加画像に基づいて変換するとともに、前記多重化画像内の第一表示画像と異なる表示画像のそれぞれの画素値を、該多重化画像内の該表示画像より表示順が一つ前の参照画像に基づいて変換して、該多重化画像内の表示画像のそれぞれに対応するＮ個の補正画像を生成する生成手段と、
前記生成手段が生成した補正画像を全て記憶する記録手段と、
複数の画素を有し、前記記録手段が記憶した補正画像に基づいて前記複数の画素を走査して、前記補正画像に応じた画像を表示する表示手段と、を含む、画像伝送システム。
【請求項２２】
請求項２１に記載の画像伝送システムにおいて、
前記生成手段は、前記受信手段が前記多重化画像内の表示画像の画素値を受信するたびに該画素値を変換していき、前記Ｎ個の補正画像を生成する、画像伝送システム。
【請求項２３】
請求項２２に記載の画像伝送システムにおいて、
前記多重化手段は、前記Ｎ個の表示画像を、各表示画像の同じ位置の画素値を並べて配置していく点順次形式で多重化し、
前記表示画像の１フレーム期間をＴｓとしたとき、前記補正画像の走査期間をＴｓとする、画像伝送システム。
【請求項２４】
請求項２２に記載の画像伝送システムにおいて、
前記多重化手段は、前記Ｎ個の表示画像を、各表示画像の同じ位置の画素値を並べて配置していく点順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項２５】
請求項２３に記載の画像伝送システムにおいて、
前記多重化手段は、前記多重化画像に、該多重化画像の画素数の（Ｎ−２）／２倍の画素数のダミー画像を面順次形式にて多重化する、画像伝送システム。
【請求項２６】
請求項２４に記載の画像伝送システムにおいて、
前記多重化手段は、Ｋを１より大きい実数としたとき、前記多重化画像に、該多重化画像の画素数の｛ＫＮ−（１＋Ｋ）｝／（１＋Ｋ）倍の画素数のダミー画像を面順次形式にて多重化する、画像伝送システム。
【請求項２７】
請求項２１に記載の画像伝送システムにおいて、
前記表示装置は、前記受信手段が受信した多重化画像内の表示画像を全て記憶する記憶手段をさら含み、
前記生成手段は、前記記憶手段に記憶された表示画像のそれぞれの画素値を変換していき、前記Ｎ個の補正画像を生成する、画像伝送システム。
【請求項２８】
請求項２７に記載の画像伝送システムにおいて、
前記多重化手段は、前記Ｎ個の表示画像を表示順に面順次形式で多重化し、
前記表示画像の１フレーム期間をＴｓとしたとき、前記補正画像の走査期間をＴｓとする、画像伝送システム。
【請求項２９】
請求項２７に記載の画像伝送システムにおいて、
前記多重化手段は、前記Ｎ個の表示画像を表示順に面順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項３０】
請求項２７に記載の画像伝送システムにおいて、
前記多重化手段は、前記Ｎ個の表示画像を、各表示画像の同じ位置の画素値を並べて配置していく点順次形式で多重化し、
前記表示画像の１フレーム期間をＴｓとしたとき、前記補正画像の走査期間をＴｓとする、画像伝送システム。
【請求項３１】
請求項２７に記載の画像伝送システムにおいて、
前記多重化手段は、前記Ｎ個の表示画像を、各表示画像の同じ位置の画素値を並べて配置していく点順次形式で多重化し、
Ｋを１より大きい実数とし、前記表示画像の１フレーム期間をＴｓとしたとき、前記補正画像の走査期間を、Ｔｓ／Ｋとする、画像伝送システム。
【請求項３２】
請求項２１ないし３１のいずれか１項に記載の画像伝送システムにおいて、
前記表示装置は、前記受信手段が受信した多重化画像内の表示画像のそれぞれに、該表示画像と異なる表示画像および前記付加画像の少なくとも一方に応じた画像処理を施す画像処理手段をさらに含み、
前記生成手段は、前記画像処理手段が画像処理を施した表示画像の画素値を変換する、画像伝送システム。
【請求項３３】
請求項１ないし３２のいずれか１項に記載の画像伝送システムにおいて、
前記生成手段は、
前記表示画像の画素値と前記参照画像の画素値との組み合わせと、前記補正画像の画素値との対応関係を示したルックアップテーブルを格納する格納手段と、
前記表示画像の画素値を、前記格納手段に格納されたルックアップテーブルを参照して変換する実行手段と、を含む画像伝送システム。
【請求項３４】
請求項３３に記載の画像伝送システムにおいて、
前記ルックアップテーブルは、前記表示画像の画素値と前記参照画像の画素値との全ての組み合わせと、前記補正画像の画素値との対応関係を示し、
前記実行手段は、前記表示画像の画素値を、前記ルックアップテーブルの中で、該表示画像の画素値と前記参照画像の画素値の組み合わせに対応する補正画像の画素値に変換する、画像伝送システム。
【請求項３５】
請求項３３に記載の画像伝送システムにおいて、
前記ルックアップテーブルは、前記表示画像の画素値と前記参照画像の画素値の所定の組み合わせと、前記補正画像の画素値との対応関係を示し、
前記実行手段は、前記表示画像の画素値と前記参照画像の画像との組み合わせが前記ルックアップテーブルにある場合、該表示画像の画素値を、該組み合わせに対応する補正画像の画素値に変換し、また、前記表示画像の画素値と前記参照画像の画像との組み合わせが前記ルックアップテーブルにない場合、該組み合わせと前記所定の組み合わせに基づいて前記補正画像の画素値を計算し、該表示画像の画素値を、該計算した画素値に変換する、画像伝送システム。
【請求項３６】
請求項１ないし３５のいずれか１項に記載の画像伝送システムにおいて、
前記複数の画素は、複数の信号線および複数の走査線の各交差部に設けられ、
前記表示手段は、
前記走査線に走査電圧を順次印加して、前記複数の画素を走査する走査線駆動手段と、
前記補正画像に応じた階調電圧を前記信号線に印加する信号線駆動手段と、
前記複数の画素に光を照射する光源と、を含む画像伝送システム。
【請求項３７】
請求項３６に記載の画像伝送システムにおいて、
前記表示手段は、前記補正画像の１フレーム期間内の所定期間において、前記光源を消灯させ、前記所定期間以外の期間において、前記光源を点灯させる制御手段をさらに含む、画像伝送システム。
【請求項３８】
請求項３６に記載の画像伝送システムにおいて、
前記表示手段は、
前記複数の画素のそれぞれに対応し、該対応する画素への前記階調電圧を保持する複数の蓄電素子と、
前記複数の蓄電素子のそれぞれと、該蓄電素子に対応する画素とに介在する複数のスイッチと、
前記走査線駆動手段による走査が終了すると、前記複数のスイッチの全てを略同時にオンにして、前記複数の蓄電素子のそれぞれに保持された階調電圧を前記複数の画素のそれぞれに印加させる書き込み制御手段をさらに含む、画像伝送システム。
【請求項３９】
請求項１ないし３８のいずれか１項に記載の画像伝送システムにおいて、
前記Ｎ個の表示画像は、右目用の画像と左目用の画像とを有し、
前記表示手段は、
右目用の光シャッタと、
左目用の光シャッタと、
前記右目用の画像が表示されているときに、前記右目用の光シャッタに光を透過させ、かつ、前記左目用の光シャッタに光を遮断させ、また、前記左目用の画像が表示されているときに、前記左目用の光シャッタに光を透過させ、かつ、前記右目用の光シャッタに光を遮断させる、シャッタ制御手段と、を有する、画像伝送システム。
【請求項４０】
請求項１ないし３８のいずれか１項に記載の画像伝送システムにおいて、
前記Ｎ個の表示画像は、第１画像と、前記第１画像の階調を反転させた第２画像と、を有し、
前記表示手段は、
光シャッタと、
前記第１画像が表示されているときに、前記光シャッタに光を透過させ、前記第２画像が表示されているときに、前記光シャッタに光を遮断させるシャッタ制御手段と、を含む、画像伝送システム。
【請求項４１】
請求項１ないし３８のいずれか１項に記載の画像伝送システムにおいて、
前記多重化手段は、動画像のうちの、時間的に隣接するＮ個のフレームのそれぞれを、前記表示画像として多重化する、画像伝送システム。
【請求項４２】
請求項１ないし４１のいずれか１項に記載の画像伝送システムにおいて、
前記送信手段は、前記多重化画像をＤＶＩ規格で送信する、画像伝送システム
【請求項４３】
請求項１ないし４１のいずれか１項に記載の画像伝送システムにおいて、
前記送信手段は、前記多重化画像をＨＤＭＩ規格で送信する、画像伝送システム。
【請求項４４】
請求項１ないし４１のいずれか１項に記載の画像伝送システムにおいて、
前記送信手段は、前記多重化画像をＤｉｓｐｌａｙＰｏｒｔ規格で送信する、画像伝送システム。
【請求項４５】
画像送信装置と、複数の画素を有する表示装置とを含む画像伝送システムによる画像伝送方法であって、
前記画像送信装置が、Ｎを２以上の整数としたとき、Ｎ個の表示画像を表示順に多重化して、１フレーム分の多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像を、前記表示画像の１フレーム期間分だけ遅延して参照画像を生成する遅延ステップと、
前記表示装置が、前記受信された多重化画像内の表示画像に、前記生成された参照画像に応じた画像処理を施す画像処理ステップと、
前記表示装置が、前記多重化画像内の表示画像が受信されるたびに、該表示画像の画素値を、前記生成された参照画像に基づいて変換して、該表示画像に対応する補正画像を生成する生成ステップと、
前記表示装置が、前記生成された補正画像に基づいて前記複数の画素を走査して、前記補正画像に応じた画像を表示する表示ステップと、を含み、
前記画像処理ステップでは、前記画像処理が施された表示画像の画素値を変換する、画像伝送方法。
【請求項４６】
請求項４５に記載の画像伝送方法において、
前記多重化ステップでは、前記Ｎ個の表示画像を面順次形式で多重化し、
前記１フレーム期間をＴｓとしたとき、前記補正画像の走査期間をＴｓとする、画像伝送方法。
【請求項４７】
請求項４５に記載の画像伝送方法において、
前記多重化ステップでは、Ｋを１より大きい実数としたとき、前記Ｎ個の表示画像のそれぞれに、該表示画像の画素数のＫ−１倍の画像数のダミー画像を面順次形式で多重化し、該ダミー画像が多重化された表示画像を面順次形式で多重化し、
前記１フレーム期間をＴｓとしたとき、前記補正画像の走査期間をＴｓ／Ｋとする、画像伝送方法。
【請求項４８】
画像送信装置と、複数の画素を有する表示装置とを含む画像伝送システムによる画像伝送方法であって、
前記画像送信装置が、Ｎを２以上の整数としたとき、Ｎ個の表示画像を多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像を全て記憶する記憶ステップと、
前記表示装置が、前記記憶された表示画像のそれぞれの画素値を、前記記憶された該表示画像より表示順が一つ前の参照画像に基づいて変換して、前記記憶された表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含み、
前記生成ステップでは、前記表示画像のうちの表示順が最も早い表示画像の画素値を、前記表示画像のうちの表示順が最も遅い表示画像を前記参照画像として用いて変換する、画像伝送方法。
【請求項４９】
画像送信装置と、複数の画素を有する表示装置とを含む画像伝送システムによる画像伝送方法であって、
前記画像送信装置が、Ｎを２以上の整数としたとき、Ｎ個の表示画像を多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像を全て記憶する記憶ステップと、
前記表示装置が、前記記憶された表示画像のそれぞれの画素値を、前記記憶された該表示画像より表示順が一つ前の参照画像に基づいて変換して、前記記憶された表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含み、
前記多重化ステップでは、前記Ｎ個の表示画像のうちの表示順が最も早い表示画像より表示順が１つ前の表示画像を付加画像としてさらに多重化し、
前記生成ステップでは、前記多重化画像内の表示画像のうちの表示順が最も早い表示画像の画素値を、前記多重化画像内の付加画像を参照画像として用いて変換する、画像伝送方法。
【請求項５０】
画像送信装置と、複数の画素を有する表示装置とを含む画像伝送システムによる画像伝送方法であって、
前記画像送信装置が、Ｎを２以上の整数としたとき、Ｎ個の表示画像を多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像を全て記憶する記憶ステップと、
前記表示装置が、前記記憶された表示画像のそれぞれに、該表示画像と異なる表示画像に応じた画像処理を施す画像処理ステップと、
前記表示装置が、前記記憶された表示画像のそれぞれの画素値を、前記記憶された該表示画像より表示順が一つ前の参照画像に基づいて変換して、前記記憶された表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含み、
前記生成ステップでは、前記画像処理が施された表示画像の画素値を変換する、画像伝送方法。
【請求項５１】
請求項４８ないし５０のいずれ１項に記載の画像伝送方法において、
前記多重化ステップでは、前記Ｎ個の表示画像を表示順に面順次形式で多重化する、画像伝送方法。
【請求項５２】
請求項４８ないし５０のいずれ１項に記載の画像伝送方法において、
前記多重化ステップでは、前記Ｎ個の表示画像を、各表示画像の同じ位置の画素値を並べて配置していく点順次形式で多重化する、画像伝送方法。
【請求項５３】
画像送信装置と、複数の画素を有する表示装置とを含む画像伝送システムによる画像伝送方法であって、
前記画像送信装置が、Ｎを２以上の整数としたとき、Ｎ個の表示画像を多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像のうち、表示順が最も遅い表示画像を前記多重化画像の１フレーム期間だけ遅延する延引ステップと、
前記表示装置が、前記多重化画像内の表示画像の画素値が受信されるたびに、該画素値を、前記受信された多重化画像内の該表示画像より表示順が一つ前の参照画像に基づいて変換していき、該多重化画像内の表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含み、
前記生成ステップでは、前記多重化画像内の表示画像のうちの表示順が最も早い表示画像の画素値を、前記遅延された表示画像を前記参照画像として用いて変換する、画像伝送方法。
【請求項５４】
画像送信装置と、複数の画素を有する表示装置とを含む画像伝送システムによる画像伝送方法であって、
前記画像送信装置が、Ｎを２以上の整数としたとき、Ｎ個の表示画像を多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の表示画像のそれぞれに、該表示画像と異なる表示画像に応じた画像処理を施す画像処理ステップと、
前記表示装置が、前記多重化画像内の表示画像の画素値が受信されるたびに、該画素値を、前記受信された多重化画像内の該表示画像より表示順が一つ前の参照画像に基づいて変換していき、該多重化画像内の表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含み、
前記生成ステップでは、前記画像処理手段が画像処理を施した表示画像の画素値を変換する、画像伝送方法。
【請求項５５】
請求項５３または５４に記載の画像伝送方法において、
前記多重化ステップでは、前記表示画像を、前記表示画像のそれぞれの同じ位置の画素値を並べて配置していく点順次形式で多重化する、画像伝送方法。
【請求項５６】
請求項５３または５４に記載の画像伝送方法において、
前記多重化ステップでは、Ｋを１より大きい実数としたとき、前記多重化画像に、該多重化画像の画素数の｛ＫＮ−（１＋Ｋ）｝／（１＋Ｋ）倍の画素数のダミー画像を面順次形式にて多重化し、
前記表示画像の１フレーム期間をＴｓとしたとき、前記補正画像の走査期間を、Ｔｓ／Ｋとする、画像伝送方法。
【請求項５７】
請求項５３ないし５６のいずれか１項に記載の画像伝送方法において、
前記多重化ステップでは、前記表示画像のうちの表示順が最も早い表示画像より表示順が１つ前の表示画像を付加画像としてさらに多重化し、
前記生成ステップでは、前記多重化画像内の表示画像のうちの表示順が最も早い表示画像の画素値を、前記多重化画像内の付加画像を参照画像として用いて変換する、画像伝送方法。
【請求項５８】
画像送信装置と、複数の画素を有する表示装置とを含む画像伝送システムによる画像伝送方法であって、
前記画像送信装置が、Ｎを２以上の整数としたとき、Ｎ個の表示画像と、前記Ｎ個の表示画像のうち、最も表示順が早い第一表示画像より表示順が一つ前の付加画像とを多重化して多重化画像を生成する多重化ステップと、
前記画像送信装置が、前記生成された多重化画像を送信する送信ステップと、
前記表示装置が、前記画像送信装置から前記多重化画像を受信する受信ステップと、
前記表示装置が、前記受信された多重化画像内の第一表示画像の画素値を、前記付加画像に基づいて変換するとともに、前記多重化画像内の第一表示画像と異なる表示画像のそれぞれの画素値を、該多重化画像内の該表示画像より表示順が一つ前の参照画像に基づいて変換して、該多重化画像内の表示画像のそれぞれに対応するＮ個の補正画像を生成する生成ステップと、
前記表示装置が、前記生成された補正画像を全て記憶する記録ステップと、
前記表示装置が、前記記憶された補正画像に基づいて前記複数の画素を走査して、前記補正画像に応じた画像を表示する表示ステップと、を含む画像伝送方法。
【請求項５９】
請求項５８に記載の画像伝送方法において、
前記多重化ステップでは、前記表示画像を、前記表示画像のそれぞれの同じ位置の画素値を並べて配置していく点順次形式で多重化し、
前記表示画像の１フレーム期間をＴｓとしたとき、前記補正画像の走査期間をＴｓとする、画像伝送方法。
【請求項６０】
請求項５８に記載の画像伝送方法において、
前記多重化ステップでは、前記表示画像を、前記表示画像のそれぞれの同じ位置の画素値を並べて配置していく点順次形式で多重化し、
Ｋを１より大きい実数とし、前記表示画像の１フレーム期間をＴｓとしたとき、前記補正画像の走査期間を、Ｔｓ／Ｋとする、画像伝送方法。
【請求項６１】
請求項５８ないし６０のいずれか１項に記載の画像伝送方法において、
前記多重化手段は、前記多重化画像に、該多重化画像の画素数の（Ｎ−２）／２倍の画素数のダミー画像を面順次形式にて多重化する、画像伝送方法。
【発明の詳細な説明】
【技術分野】
【０００１】
本発明は、画像伝送システム、画像多重化方法および画像伝送方法に関し、特には、複数の画像を既存の映像伝送方式を用いて表示装置に伝送させて表示させる画像伝送システムおよび画像伝送方法に関する。
【背景技術】
【０００２】
近年、２次元（平面）画像を表示する機能だけでなく、様々な付加的な機能を有するディスプレイが提案または実用化されている。このようなディスプレイには、例えば、立体画像をユーザに知覚させることが可能な立体ディスプレイなどがある。立体ディスプレイとしては、特許文献１、特許文献２および特許文献３に記載の時分割立体ディスプレイがある。【０００３】
図１は、時分割立体ディスプレイの原理を示した説明図である。なお、ユーザは、立体画像を知覚するためには、光シャッタ機能を有する液晶めがねを掛ける必要がある。【０００４】
時分割立体ディスプレイは、立体画像を構成する左目用の画像および右目用の画像を高速で交互に表示する。また、右目用の画像の表示に同期して、液晶めがねの右目の光シャッタが光を透過する透過状態になり、左目の光シャッタが光を遮断する遮断状態になる。また、左目用の画像の表示に同期して、左目の光シャッタが透過状態となり、右目の光シャッタが遮断状態となる。これにより、ユーザの右目と左目に異なる画像が交互に入射されることになり、ユーザは立体画像を知覚することになる。【０００５】
また、ディスプレイが表示する画像の中には、秘密情報やプライベートデータなど他人には見られたくない内容が含まれることがある。情報機器の発達に伴い社会のユビキタス化が進展している現在、不特定の人たちがいる公衆下であっても、他の人に表示コンテンツを見られないようにすることも重要な課題となっている。【０００６】
この課題を解決するための技術には、特許文献４に記載の画像表示装置がある。図２は、この画像表示装置の構成を示したブロック図である。【０００７】
図２において、画像情報蓄積メモリ２０２は、フレーム信号２０３に基づいて、入力された画像信号２０１をフレーム単位で格納する。画像情報蓄積メモリ２０２に格納された画像信号は、フレーム周期中に２回読み出される。【０００８】
最初に読み出された画像信号は、第１画像信号２０４として合成回路２０５に出力される。２回目に読み出された画像信号は、彩度輝度変換回路２０６により彩度および輝度が変換された後、第２画像信号２０７として合成回路２０５に供給される。合成回路２０５は、第１画像信号２０４と第２画像信号２０７とを交互に画像表示器２０８に出力することで、画像表示器２０８が、第１画像信号２０４に応じた画像と、第２画像信号２０７に応じた画像とを交互に表示する。【０００９】
眼鏡シャッタタイミング発生回路２０９は、フレーム信号２０３に基づいて、眼鏡２１１のシャッタを駆動するための眼鏡シャッタ駆動信号２１０を生成する。眼鏡シャッタ駆動信号２１０は、第２画像信号２０７に応じた画像が表示されている期間、眼鏡２１１のシャッタを遮断状態とする信号である。この眼鏡シャッタ駆動信号２１０により眼鏡２１１のシャッタが駆動されることで、眼鏡２１１を掛けた人には、第１画像信号２０４に応じた画像が知覚される。【００１０】
なお、眼鏡２１１を掛けていない人には、視覚の時間的な積分効果（残像効果）により、第１画像信号２０４と第２画像信号２０７とが合成された灰色画像が見える。この灰色画像は、第１画像信号２０４に応じた画像とは異なる画像である。よって、眼鏡２１１を掛けていない人には、第１画像信号２０４に応じた画像を知覚することができない。【００１１】
また、第１画像信号および第２画像信号と異なる第３画像信号があってもよい。そして、第１画像信号、第２画像信号および第３画像信号が順番に表示され、第２画像信号および第３画像信号のそれぞれに応じた画像が表示されている期間、眼鏡２１１のシャッタが遮断状態になる。この場合、眼鏡２１１を掛けていない人には、第３画像信号に応じた画像が知覚されることになる。以下、第１画像信号２０４に応じた画像を秘密画像、第２画像信号２０７に応じた画像を反転画像、第３画像信号に応じた画像を公開画像と称する。【００１２】
図２で示した例では、眼鏡２１１を掛けている人にも掛けていない人にも、フリッカが知覚されることを抑制するためには、秘密画像、反転画像および公衆画像の組（フレーム）が表示される周波数が６０Ｈｚ以上でなければならない。つまり、秘密画像、反転画像および公衆画像のそれぞれの画像（サブフレーム）が表示されるサブフレーム周波数は、１８０Ｈｚ以上でなければならない。【００１３】
サブフレーム周波数が１８０Ｈｚより低いと、フリッカが知覚されやすくなり、画質が低下する。さらに、視覚の時間積分の効果が減少するため、秘密画像、反転画像および公衆画像のそれぞれが独立してユーザに知覚される。このため、眼鏡２１１を掛けていない人にも秘密画像が見えてしまい、秘密画像の秘匿性が低下するという問題がある。【００１４】
また、図１を用いて説明した立体ディスプレイでは、フリッカを抑制するためには、右目画像と左目画像の組が表示される周波数が６０Ｈｚ以上でなければならない。また、右目画像と左目画像のそれぞれの画像（サブフレーム）が表示されるサブフレーム周波数は、１２０Ｈｚ以上でなければならない。【００１５】
サブフレームをこのような高速な周波数で表示するためには、サブフレームを、ＰＣなどの伝送元からディスプレイに伝送させる際に、その高速な周波数と同じフレーム周波数で伝送させることが望ましい。しかしながら、現在広く普及しているＤＶＩなどの映像伝送方式では、フレーム周波数の上限は事実上６０Ｈｚであるため、これより高い周波数の画像を伝送することはできない。【００１６】
このため、上述の視覚の時間積分効果を利用したディスプレイを実現するためには、高速なフレーム周波数に対応する新しい映像伝送方式を考案するか、既存の伝送路を並列化しなければならない。【００１７】
しかしながら、前者は伝送元やディスプレイのチップ（トランシーバおよびレシーバ）やケーブルを新規開発するためのコストが莫大となるという問題や、高速伝送に特化するため汎用性が低いという問題がある。また、後者はケーブルの取り回しが複雑になるという問題がある。したがって、どちらの方法も現実的な解決策とはいえない。【００１８】
特許文献５には、高速なサブフレーム周波数を有する画像を既存の映像方式を用いて伝送させることで、視覚の時間積分効果を利用したディスプレイを実現させることが可能な技術が記載されている。この技術は、図１に示したような時分割方式の立体ディスプレイと異なる方式の立体ディスプレイであり、平面画像と奥行き画像という複数の画像が、既存の映像伝送方式を用いて伝送される。図３は、この技術で用いられる伝送方式を示した説明図である。【００１９】
図３で示したように、２次元画像と奥行き画像が多重化手段３１２にて１枚の大きな画像に多重化され、その多重化された多重化画像が、既存の映像伝送規格を用いて伝送される。これにより、多重化画像が６０Ｈｚのフレーム周波数で伝送されても、多重化画像に多重化された各画像は、６０Ｈｚ以上のフレーム周波数で伝送されることになるので、高い周波数の画像を既存の映像伝送方式を用いて伝送することが可能になる。【００２０】
また、これとは別に、近年、従来のＣＲＴ方式のディスプレイやテレビに代わり、薄型の液晶ディスプレイや液晶テレビなどの液晶表示装置が実用化されている。しかしながら、液晶表示装置では、液晶は電圧の変化に対する光透過率特性の応答が遅いため、動きの激しい動画を表示する場合、表示画像に動きボケが発生するなどして、画質が低下するという問題がある。【００２１】
特に上述の視覚の時間積分効果を利用した時分割方式のディスプレイでは、フレーム周波数が高くなるため、液晶の光透過率特性の応答が遅いことによる画質の低下がより顕著になる。【００２２】
このような画質の低下を改善する技術としては、オーバードライブ（ＯＤ：OverDrive）と呼ばれる技術が広く知られている。なお、オーバードライブは、例えば、特許文献６に記載の液晶表示装置などで使用されている。【００２３】
図４は、オーバードライブを説明するための説明図である。【００２４】
オーバードライブでは、チューナ４０２が受信したフレーム（前フレーム）を一旦画像メモリ４１１に記憶する。そして、比較回路４１２が、その画像メモリ４１１に記憶された前フレームと、次にチューナ４０２が受信したフレーム（現フレーム）とを画素ごとに比較して、現フレームの画素値を変換する。【００２５】
より具体的には、比較回路４１２は、前フレームの画素値より現フレームの画素値が大きい場合、現フレームの画素値を大きくし、逆に、前フレームの画素値より現フレームの画素値が小さい場合、現フレームの画素値を小さくする。【００２６】
例えば、前フレームの画素値が１００であり、現フレームの画素値が１５０であった場合、現フレームの画素値を１５０のままで出力した場合、液晶の光透過率特性の応答が遅いために、その画素値「１５０」に応じた輝度で画像を表示させることができない。このため、現フレームの画素値を１５０から１８０に変換する。これにより、液晶の光透過率特性の応答が速くなり、画素値「１５０」に応じた輝度で画像を表示させることが可能になる。【００２７】
このようにオーバードライブでは、液晶の応答速度を上げなくても、所望の輝度で画像を表示することが可能になる。
【先行技術文献】
【特許文献】
【００２８】
【特許文献１】特公平０５−７８０１７号公報
【特許文献２】特開昭６１−２２７４９８号公報
【特許文献３】特開昭６１−８７１３０号公報
【特許文献４】特開昭６３−３１２７８８号公報
【特許文献５】特開２００６−１９５０１８号公報
【特許文献６】特開平６−１８９２３２号公報
【発明の概要】
【発明が解決しようとする課題】
【００２９】
時分割方式の液晶表示装置では、液晶の光透過率特性の応答が遅いことによる画質の低下が顕著になるので、液晶の光透過率特性の応答が遅いことを正確に補償するのが非常に重要である。オーバードライブを用いて、これを正確に補償するためには、画像の画素値を、その画像より表示順が一つ前の画素値と比較する必要がある。【００３０】
しかしながら、複数の画像を図３で示した構成を用いて多重化画像に多重化してから既存の映像伝送方式を用いて伝送させ、その多重化画像にオーバードライブを適用すると以下の問題がある。【００３１】
つまり、多重化画像の前フレームの画素値と現フレームの画素値とが比較されるので、各画像の画素値は、その画像より表示順が一つ前の画素値と比較できない。例えば、２個の画像が多重化された場合、多重化画像の各画像の画素値は、その画像より表示順が二つ前の画素値と比較される。【００３２】
したがって、液晶の光透過率特性の応答が遅いことを正確に補償することができなくなり、画質が低下するという問題がある。【００３３】
そこで、本発明の目的は、上記の課題である、画質が低下するという問題を解決する、画像伝送システムおよび画像伝送方法を提供することである。
【課題を解決するための手段】
【００３４】
本発明による第一の画像伝送システムは、画像送信装置と、表示装置とを含む画像伝送システムであって、前記画像送信装置は、Ｎを２以上の整数としたとき、Ｎ個の表示画像を表示順に多重化して多重化画像を生成する多重化手段と、前記多重化手段にて生成された多重化画像を送信する送信手段と、を含み、前記表示装置は、前記画像送信装置から前記多重化画像を受信する受信手段と、前記受信手段が受信した多重化画像内の表示画像を、前記表示画像の１フレーム期間分だけ遅延して参照画像を生成する遅延手段と、前記受信手段が前記多重化画像内の表示画像を受信するたびに、該表示画像の画素値を、前記遅延手段にて生成された参照画像に基づいて変換して、該表示画像に対応する補正画像を生成する生成手段と、複数の画素を有し、前記生成手段が生成した補正画像に基づいて前記複数の画素を走査して、前記補正画像に応じた画像を表示する表示手段と、を含む。【００３５】
本発明による第二の画像伝送システムは、画像送信装置と、表示装置とを含む画像伝送システムであって、前記画像送信装置は、Ｎを２以上の整数としたとき、Ｎ個の表示画像を多重化して多重化画像を生成する多重化手段と、前記多重化手段にて生成された多重化画像を送信する送信手段と、を含み、前記表示装置は、前記画像送信装置から前記多重化画像を受信する受信手段と、前記受信手段が受信した多重化画像内の表示画像を全て記憶する記憶手段と、前記記憶手段に記憶された表示画像のそれぞれの画素値を、前記記憶手段に記憶された該表示画像より表示順が一つ前の参照画像に基づいて変換して、前記表示画像のそれぞれに対応するＮ個の補正画像を生成する生成手段と、前記生成手段が生成した補正画像を全て記憶する記録手段と、複数の画素を有し、前記記録手段に記録された補正画像に基づいて前記複数の画素を走査して、前記補正画像に応じた画像を表示する表示手段と、を含む。【００３６】
本発明による第三の画像伝送システムは、画像送信装置と、表示装置とを含む画像伝送システムであって、前記画像送信装置は、Ｎを２以上の整数としたとき、Ｎ個の表示画像を多重化して多重化画像を生成する多重化手段と、前記多重化手段にて生成された多重化画像を送信する送信手段と、を含み、前記表示装置は、前記画像送信装置から前記多重化画像を受信する受信手段と、前記受信手段が前記多重化画像内の表示画像の画素値を受信するたびに、該画素値を、前記受信手段が受信した多重化画像内の該表示画像より表示順が一つ前の参照画像に基づいて変換していき、該多重化画像内の表示画像のそれぞれに対応するＮ個の補正画像を生成する生成手段と、前記生成手段が生成した補正画像を全て記憶する記録手段と、複数の画素を有し、前記記録手段が記憶した補正画像に基づいて前記複数の画素を走査して、前記補正画像に応じた画像を表示する表示手段と、を含む。【００３７】
本発明による第四の画像伝送システムは、画像送信装置と、表示装置とを含む画像伝送システムであって、前記画像送信装置は、Ｎを２以上の整数としたとき、Ｎ個の表示画像と、前記Ｎ個の表示画像のうち、最も表示順が早い第一表示画像より表示順が一つ前の付加画像とを多重化して多重化画像を生成する多重化手段と、前記多重化手段にて生成された多重化画像を送信する送信手段と、を含み、前記表示装置は、前記画像送信装置から前記多重化画像を受信する受信手段と、前記受信手段が受信した多重化画像内の第一表示画像の画素値を、前記付加画像に基づいて変換するとともに、前記多重化画像内の第一表示画像と異なる表示画像のそれぞれの画素値を、該多重化画像内の該表示画像より表示順が一つ前の参照画像に基づいて変換して、該多重化画像内の表示画像のそれぞれに対応するＮ個の補正画像を生成する生成手段と、前記生成手段が生成した補正画像を全て記憶する記録手段と、複数の画素を有し、前記記録手段が記憶した補正画像に基づいて前記複数の画素を走査して、前記補正画像に応じた画像を表示する表示手段と、を含む。【００３８】
本発明による第一の画像伝送方法は、画像送信装置と、複数の画素を有する表示装置とを含む画像伝送システムによる画像伝送方法であって、前記画像送信装置が、Ｎを２以上の整数としたとき、Ｎ個の表示画像を表示順に多重化して、１フレーム分の多重化画像を生成する多重化ステップと、前記画像送信装置が、前記生成された多重化画像を送信する送信ステップと、前記表示装置が、前記画像送信装置から前記多重化画像を受信する受信ステップと、前記表示装置が、前記受信された多重化画像内の表示画像を、前記表示画像の１フレーム期間分だけ遅延して参照画像を生成する遅延ステップと、前記表示装置が、前記多重化画像内の表示画像が受信されるたびに、該表示画像の画素値を、前記生成された参照画像に基づいて変換して、該表示画像に対応する補正画像を生成する生成ステップと、前記表示装置が、前記生成された補正画像に基づいて前記複数の画素を走査して、前記補正画像に応じた画像を表示する表示ステップと、を含む。【００３９】
本発明による第二の画像伝送方法は、画像送信装置と、複数の画素を有する表示装置とを含む画像伝送システムによる画像伝送方法であって、前記画像送信装置が、Ｎを２以上の整数としたとき、Ｎ個の表示画像を多重化して多重化画像を生成する多重化ステップと、前記画像送信装置が、前記生成された多重化画像を送信する送信ステップと、前記表示装置が、前記画像送信装置から前記多重化画像を受信する受信ステップと、前記表示装置が、前記受信された多重化画像内の表示画像を全て記憶する記憶ステップと、前記表示装置が、前記記憶された表示画像のそれぞれの画素値を、前記記憶された該表示画像より表示順が一つ前の参照画像に基づいて変換して、前記記憶された表示画像のそれぞれに対応するＮ個の補正画像を生成する生成ステップと、前記表示装置が、前記生成された補正画像を全て記憶する記録ステップと、前記表示装置が、前記記憶された補正画像に基づいて前記複数の画素を走査して、前記補正画像に応じた画像を表示する表示ステップと、を含む。【００４０】
本発明による第三の画像伝送方法は、画像送信装置と、複数の画素を有する表示装置とを含む画像伝送システムによる画像伝送方法であって、前記画像送信装置が、Ｎを２以上の整数としたとき、Ｎ個の表示画像を多重化して多重化画像を生成する多重化ステップと、前記画像送信装置が、前記生成された多重化画像を送信する送信ステップと、前記表示装置が、前記画像送信装置から前記多重化画像を受信する受信ステップと、前記表示装置が、前記多重化画像内の表示画像の画素値が受信されるたびに、該画素値を、前記受信された多重化画像内の該表示画像より表示順が一つ前の参照画像に基づいて変換していき、該多重化画像内の表示画像のそれぞれに対応するＮ個の補正画像を生成する生成ステップと、前記表示装置が、前記生成された補正画像を全て記憶する記録ステップと、前記表示装置が、前記記憶された補正画像に基づいて前記複数の画素を走査して、前記補正画像に応じた画像を表示する表示ステップと、を含む。【００４１】
本発明による第四の画像伝送方法は、画像送信装置と、複数の画素を有する表示装置とを含む画像伝送システムによる画像伝送方法であって、前記画像送信装置が、Ｎを２以上の整数としたとき、Ｎ個の表示画像と、前記Ｎ個の表示画像のうち、最も表示順が早い第一表示画像より表示順が一つ前の付加画像とを多重化して多重化画像を生成する多重化ステップと、前記画像送信装置が、前記生成された多重化画像を送信する送信ステップと、前記表示装置が、前記画像送信装置から前記多重化画像を受信する受信ステップと、前記表示装置が、前記受信された多重化画像内の第一表示画像の画素値を、前記付加画像に基づいて変換するとともに、前記多重化画像内の第一表示画像と異なる表示画像のそれぞれの画素値を、該多重化画像内の該表示画像より表示順が一つ前の参照画像に基づいて変換して、該多重化画像内の表示画像のそれぞれに対応するＮ個の補正画像を生成する生成ステップと、前記表示装置が、前記生成された補正画像を全て記憶する記録ステップと、前記表示装置が、前記記憶された補正画像に基づいて前記複数の画素を走査して、前記補正画像に応じた画像を表示する表示ステップと、を含む。
【発明の効果】
【００４２】
本発明によれば、画質の低下を抑制することが可能になる。
【図面の簡単な説明】
【００４３】
【図１】関連技術の時分割立体ディスプレイの原理を示した説明図である。
【図２】関連技術の画像処理装置の構成を示したブロック図である。
【図３】関連技術の画像伝送方法を説明するための説明図である。
【図４】関連技術のオーバードライブを説明するための説明図である。
【図５】伝送される画像の一例を示した説明図である。
【図６】ＤＶＩ規格で伝送される多重化画像の画素値の伝送順を説明するための説明図である。
【図７】サブフレームの表示順の一例を示した説明図である。
【図８】第１の実施形態の画像伝送システムを示したブロック図である。
【図９】第１の実施形態の画像伝送システムの動作例を説明するためのタイミングチャートである。
【図１０】第１〜第３画像の座標を示した説明図である
【図１１】面順次多重化方法の一例を説明するための説明図である。
【図１２】面順次多重化方法の他の例を説明するための説明図である。
【図１３Ａ】時分割表示装置の構成例を示したブロック図である。
【図１３Ｂ】液晶パネルの構成例を示した構成図である。
【図１４】時分割表示装置の動作例を説明するためのタイミングチャートである。
【図１５】時分割表示装置の他の動作例を説明するためのタイミングチャートである。
【図１６】時分割表示装置の他の構成例を示したブロック図である。
【図１７】時分割表示装置の他の動作例を説明するためのタイミングチャートである。
【図１８】オーバードライブ演算部（ＯＤ演算部）の構成例を示したブロック図である。
【図１９】オーバードライブＬＵＴの一例を示した説明図である。
【図２０】オーバードライブＬＵＴの他の例を示した説明図である。
【図２１】ダミー画像が挿入された多重化画像を示した説明図である。
【図２２】第１の実施形態の画像伝送システムの他の動作例を説明するためのタイミングチャートである。
【図２３】第２の実施形態における画像伝送システムを示したブロック図である。
【図２４】点順次多重化方法の一例を説明するための説明図である。
【図２５】点順次多重化方法の他の例を説明するための説明図である。
【図２６】第２の実施形態の画像伝送システムの動作例を説明するためのタイミングチャートである。
【図２７】第２の実施形態の画像伝送システムの他の動作例を説明するためのタイミングチャートである。
【図２８】Ｎ枚の画像が多重化された場合におけるフレームメモリ２３Ｂの動作を説明するためのタイミングチャートである。
【図２９】Ｎ枚の画像が多重化された場合におけるフレームメモリ２３Ａの動作を説明するためのタイミングチャートである。
【図３０】第２の実施形態の画像伝送システムの他の動作例を説明するためのタイミングチャートである。
【図３１】第２の実施形態の画像伝送システムの他の動作例を説明するためのタイミングチャートである。
【図３２】第２の実施形態の画像伝送システムの他の動作例を説明するためのタイミングチャートである。
【図３３】第３の実施形態における画像伝送システムを示したブロック図である。
【図３４】第３の実施形態の画像伝送システムの動作例を説明するためのタイミングチャートである。
【図３５】Ｎ枚の画像を伝送する場合におけるフレームメモリの動作例を説明するためのタイミングチャートである
【図３６】第３の実施形態の画像伝送システムの他の動作例を説明するためのタイミングチャートである。
【図３７】Ｎ枚の画像を伝送する場合におけるフレームメモリの他の動作例を説明するためのタイミングチャートである
【図３８】点順次多重化方法の他の例を説明するための説明図である。
【図３９】第３の実施形態の画像伝送システムの他の動作例を説明するためのタイミングチャートである。
【図４０】第４の実施形態の画像伝送システムを示したブロック図である。
【図４１】第４の実施形態の画像伝送システムの動作例を説明するためのタイミングチャートである。
【図４２】第５の実施形態の画像伝送システムを示したブロック図である。
【図４３】第５の実施形態の画像伝送システムの動作例を説明するためのタイミングチャートである。
【図４４】第６の実施形態の画像伝送システムを示したブロック図である。
【図４５】第６の実施形態の画像伝送システムの動作例を説明するためのタイミングチャートである。
【図４６】第６の実施形態の画像伝送システムの他の動作例を説明するためのタイミングチャートである。
【図４７】フレームメモリの動作を説明するためのタイミングチャートである。
【図４８】第７の実施形態の画像伝送システムを示したブロック図である。
【図４９】第６の実施形態の画像伝送システムの動作例を説明するためのタイミングチャートである。
【図５０】時分割表示装置の他の構成例を示したブロック図である。
【図５１】伝送される画像の他の例を示した説明図である。
【図５２】時分割表示装置の他の動作例を説明するためのタイミングチャートである。
【図５３】時分割表示装置の他の動作例を説明するためのタイミングチャートである。
【図５４】伝送される画像の他の例である立体画像を示した説明図である。
【図５５】時分割表示装置の他の動作例を説明するためのタイミングチャートである。
【図５６】時分割表示装置の他の動作例を説明するためのタイミングチャートである。
【図５７】時分割表示装置の他の動作例を説明するためのタイミングチャートである。
【図５８】高速動画像の一例を示した説明図である。
【図５９】高速動画像の多重化方法の一例を説明するための説明図である。
【図６０】高速動画像の多重化方法の他の例を説明するための説明図である。
【発明を実施するための形態】
【００４４】
以下、本発明の実施形態について図面を参照して説明する。なお、以下の説明では、同じ機能を有する構成には同じ符号を付け、その説明を省略する場合がある。
【００４５】
以下、各実施形態および実施例で説明する画像伝送システムは、Ｎを２以上の整数としたとき、Ｎ個の画像を多重化し、その多重化した多重化画像を所定の映像伝送方式で送信し、その多重化画像を時分割表示するものである。ここで、多重化画像は、Ｍを０以上の実数としたとき、Ｍ[Ｈｚ]のフレーム周波数で送信され、多重化画像に含まれる各画像は、サブフレームレートＭ×Ｎ[Ｈｚ]（Ｍは１以上の整数）以上の周波数で順次表示される。
【００４６】
多重化されるＮ個の画像は、Ｎ系統の画像、または、既存の映像伝送方式で定められているフレーム周波数（以下、既存フレーム周波数と称する）以上のフレーム周波数を有する動画像（以下、高速動画像と称する）のＮ個のフレームである。
【００４７】
なお、複数系統の画像は、立体画像をユーザに知覚させるための複数の画像のように互いに関連性のある複数の画像でもよいし、テレビの複数のチャネルのそれぞれで放送される複数の画像のように互いに関連性のない複数の画像でもよい。
【００４８】
所定の映像伝送方式は、例えば、ＤＶＩ、ＨＤＭＩ、ＤｉｓｐｌａｙＰｏｒｔおよびアナログＲＧＢ（ＶＧＡ）等である。既存の映像伝送方式の多くにおいて、フレーム周波数が６０Ｈｚなので、多重化画像の伝送フレーム周波数（Ｍ「Ｈｚ」）は、６０Ｈｚ（ＦＰＳ）以上であるものとする。なお、ＨＤＭＩやＤｉｓｐｌａｙＰｏｒｔに関しては、２００８年６月１９日現在、規格上では１２０Ｈｚまで対応している。
【００４９】
以下では、所定の映像伝送方式をＤＶＩとし、多重化画像の伝送フレーム周波数を６０ＦＰＳとして説明するが、映像伝送方式や伝送フレーム周波数はこの例に限らず適宜変更可能である。
【００５０】
また、以下では、伝送される画像は、特に断りのない限り、図５で示したような第１画像、第２画像および第３画像からなる３系統の画像が多重化された多重化画像とする。また、各画像は、全て同じ画素数（具体的には、８００画素×６００ライン）の動画像または静止画像であるものとする。
【００５１】
また、多重化画像の各フレームを、伝送される順に、前々フレーム、前フレーム、現フレーム、次フレームおよび次々フレームと称する。また、多重化画像内の各画像は、Ｘフレームの第Ｙ画像の場合、「ＸＹ」と略称する。例えば、各画像は、次フレームの第２画像であれば「次２」、前々フレームの第１画像であれば「前々１」と略称する。
【００５２】
また、多重化画像の各画素のデータ（画素値）は、とくに断りがない限り、図６に示すように画像の上から下に向かって点順次形式で伝送される。また、各画素のデータは、同一ライン上では、左から右に向かって点順次形式で伝送される。
【００５３】
さらに、伝送された多重化画像は、時分割表示装置で、図７に示すように表示される。つまり、多重化画像の１フレーム期間Ｔ（１／６０秒）に、多重化画像のあるフレーム内の第１〜第３画像のそれぞれが表示される。つまり、第１〜第３画像の１フレーム期間Ｔｓ（１／（６０×３）＝１／１８０秒）内に、第１〜第３画像のいずれかが表示される。以下、多重化画像に含まれる各画像を、多重化画像のサブフレームと称し、各画像のフレーム期間をサブフレーム期間と称することもある。
【００５４】
各サブフレームの表示順序は、図７に示したように、前々１→前々２→前々３→前１→前２→前３→現１→現２→現３→次１→次２→次３→次々１→次々２→次々３→・・・の順であり、各サブフレームの走査順序は画像の上から下に向うものとする。
【００５５】
＜第１の実施形態＞
図８は、本発明の第１の実施形態における画像伝送システムを示したブロック図である。図８において、画像伝送システムは、画像送信装置１と、画像処理装置２と、時分割表示装置３とを含む。なお、画像処理装置２および時分割表示装置３は、表示装置の一例であり、別々の筐体を有していてもよいし、共通の筐体を有していてもよい。
【００５６】
画像送信装置１は、多重化部１１と、送信部（トランシーバ：Ｔｘ）１２とを含む。
【００５７】
多重化部１１には、３系統の画像（第１画像、第２画像および第３画像）が入力され、その３系統の画像を表示順に多重化して、１フレーム分の多重化画像を生成する。本実施形態では、多重化部１１は、３系統の画像を面順次形式で多重化するものとする。
【００５８】
送信部１２は、多重化部１１で生成された多重化画像をＤＶＩ規格で画像処理装置２に送信する。
【００５９】
画像処理装置２は、受信部（レシーバ：Ｒｘ）２１と、コントローラ２２と、フレームメモリ２３と、オーバードライブ（ＯＤ）演算部２５とを含む。また、画像処理装置２には、画像間演算部２４が設けられてもよい。
【００６０】
受信部２１は、画像送信装置１から多重化画像を受信する。
【００６１】
コントローラ２２は、受信部２１が受信した多重化画像内の各画像を、受信部２１が受信した順にフレームメモリ２３に記憶していく。
【００６２】
フレームメモリ２３は、遅延手段の一例である。フレームメモリ２３は、受信部２１が受信した多重化画像内の一つの画像を記憶できるメモリ量を有し、多重化画像を１サブフレーム期間だけ遅延させる。つまり、フレームメモリ２３は、多重化画像を１サブフレーム期間だけ遅延させるＦＩＦＯ（First  In  First  Out）回路と捉えることもできる。
【００６３】
ＯＤ演算部２５は、生成手段の一例である。ＯＤ演算部２５は、受信部２１が多重化画像内の画像を受信するたびに、その画像に対してオーバードライブ演算を行い、その画像に対応するオーバードライブ（ＯＤ）画像を生成する。なお、ＯＤ画像は、補正画像の一例である。
【００６４】
オーバードライブ演算は、その画像より表示順が一つ前の参照画像に基づいて、その画像の画素値を変換する演算である。このとき、変換後の画素値は、変換前の画素値に相当する階調が正しく表示されるような値である。
【００６５】
本実施形態では、フレームメモリ２３にて遅延された画像が、画素値を変換する画像（以下、対象画像と称することもある）より表示順が一つ前の参照画像となる。したがって、フレームメモリ２３は、画像を遅延して参照画像を生成することになる。
【００６６】
画像間演算部２４は、画像処理手段の一例である。画像間演算部２４は、受信部２１が受信した画像と、フレームメモリ２３から出力された参照画像との相互演算を行うことで、その受信部２１が受信した画像にその参照画像に応じた画像処理を施す。なお、画像間演算部２４のより詳細な説明は後述する。
【００６７】
時分割表示装置３は、表示手段の一例である。時分割表示装置３は、複数の画素を有し、ＯＤ演算部２５がＯＤ画像を生成するたびに、そのＯＤ画像に基づいて複数の画素を走査して、ＯＤ画像に応じた画像を表示する。
【００６８】
＜画像伝送システムの動作＞
図９は、画像伝送システムの動作例を説明するためのタイミングチャートである。
【００６９】
画像送信装置１では、多重化部１１は、多重化画像を生成すると、その多重化画像を送信部１２に送信する。送信部１２は、多重化画像を受け付けると、その多重化画像をＤＶＩ規格で画像処理装置２の受信部２１に送信する。
【００７０】
受信部２１は、多重化画像内のデータ（画素値）を受信するたびに、その受信データをコントローラ２２およびＯＤ演算部２５に出力する。
【００７１】
コントローラ２２は、受信部２１から多重化画像のサブフレーム（以下、現１とする）の先頭データを受け付けると、フレームメモリ２３の書き込みアドレスを先頭に設定する。その後、コントローラ２２は、現１のデータを、書き込みアドレスをずらしながらフレームメモリ２３に書き込んでいく。多重化画像が現１から現２に切り替わり、現１の書き込みが終了すると、コントローラ２２は、書き込みアドレスを先頭に戻して、現２を現１と同様にフレームメモリ２３に書き込んでいく。このようにして、コントローラ２２は、多重化画像の各サブフレームをフレームメモリ２３に書き込んでいく。
【００７２】
ＯＤ演算部２５は、受信部２１から画像を対象画像として受け付け、また、フレームメモリ２３から画像を参照画像として読み出す。ＯＤ演算部２５は、その対象画像を参照画像に基づいて変換してＯＤ画像を生成し、そのＯＤ画像を時分割表示装置３に出力する。
【００７３】
例えば、受信部２１が受信した画像が現１の場合、フレームメモリ２３は、現１より表示順が１つ早い前３が参照画像として記憶されている。このため、ＯＤ演算部２５は、その前３を読み出し、その前３に基づいて現１の画素値を変換する。より具体的には、ＯＤ演算部２５は、現１の画素位置ごとに、その画素位置の現１の画素値とその画素位置の前３の画素値とに基づいて、現１のＯＤ画像（現１ＯＤ）の画素値を算出することで現１ＯＤを生成し、その現１ＯＤを出力する。
【００７４】
時分割表示装置３は、ＯＤ演算部２５からＯＤ画像を受け付けるたびに、そのＯＤ画像を面順次形式で表示していく。
【００７５】
＜多重化方法：面順次形式＞
本実施形態では、多重化部１１は、第１画像〜第３画像を、１フレーム分の多重化画像（８００画素×１８００ライン）に空間的に多重化する。多重化部１１は、ＬＳＩやＦＰＧＡなどのハードウェアで構成されても良いし、ソフトウェアをメモリに記憶し、その記憶したソフトウェアをコンピュータに読み込ませて実行させることで実現されても良い。なお、第１画像〜第３画像のそれぞれでは、図１０に示すように、各画像の左上の座標を（０，０）、各画像の右下の座標を（７９９，５９９）とする。
【００７６】
多重化部１１は、同一フレームに含まれるサブフレームである第１画像〜第３画像を表示順および走査順に面順次形式で多重化する。
【００７７】
例えば、時分割表示装置３において第１画像→第２画像→第３画像→・・・の順に表示され、各画素が上から下に向かって走査される場合、多重化画像は、図１１で示したように、上から第１画像、第２画像、第３画像の順に多重化される。
【００７８】
なお、表示順序は第１画像→第２画像→第３画像→・・・で変わらないが、時分割表示装置３において各画素が下から上に向かって走査される場合、多重化画像では、第１〜第３画像のそれぞれは、画像の上下が反転された状態で、上から第１画像、第２画像、第３画像の順に多重化される。同様に、各画素が飛び越し走査される場合、第１〜第３画像のそれぞれは、飛び越しに配置される。
【００７９】
これにより、時分割表示装置３の表示順および走査順に合わせて第１〜第３画像を伝送させることが可能になる。このように、第１〜第３画像のそれぞれを面順次形式にて多重化する場合、第１〜第３画像のそれぞれを時分割表示装置３の表示順および走査順に多重化して送信することが重要でなる。ここで、時分割表示装置３の表示順および走査順とＤＶＩの伝送順序が同じであれば良いので、多重化部１１は、第１〜第３画像のそれぞれを、図１１で示したように８００画素×１８００ラインの画像に多重化するのではなく、図１２に示したように１６００画素×９００ラインの画像に多重化してもよい。なお、図１２における各画像の伝送順序は、図１１の伝送順序と同じである。
【００８０】
＜時分割表示装置＞
図１３Ａは、時分割表示装置３の構成例を示したブロック図である。図１３Ａにおいて、時分割表示装置３は、光源３ａと、制御回路３ｂと、複数の画素を有する液晶パネル３ｃとを有する。
【００８１】
光源３ａは、例えば、ＬＥＤであり、液晶パネル３ｃの複数の画素を照射する。
【００８２】
制御回路３ｂは、画像処理装置２からＯＤ画像を受け付けると、そのＯＤ画像を液晶パネル３ｃに出力する。また、制御回路３ｂは、光源３ａの点灯および消灯を切り替える。
【００８３】
図１３Ｂは、液晶パネル３ｃの構成例を示したブロック図である。
【００８４】
図１３Ｂにおいて、液晶パネル３ｃは、互いに交差する複数の走査線３１及び複数の信号線３２と、走査線３１に入力する信号を制御する走査線ドライバ３３と、信号線３２に入力する信号を制御する信号線ドライバ３４と、走査線３１と信号線３２の各交差部にマトリックス状に設けられた複数の画素３５とを含む。
【００８５】
また、液晶パネル３ｃは、各画素３５に対応する、複数の蓄積容量３６および複数のスイッチング機能を持つ薄膜トランジスタ（ＴＦＴ）３７を含む。画素３５と蓄積容量３６とは並列に接続され、ＴＦＴ３７は、交差部と画素３５との間に介在する。また、画素３５は、複数の電極間に液晶が挟持された構成を有する。なお、時分割表示装置３のうち、走査線３１、信号線３２、画素３５、蓄積容量３６および薄膜トランジスタ（ＴＦＴ）３７を有する領域を有効表示領域３８とする。有効表示領域３８は、画像が表示される領域となる。
【００８６】
走査線ドライバ３３は、走査線駆動手段の一例である。走査線ドライバ３３は、走査線３１を所定の順番で選択していき、その選択した順に走査線３１に走査電圧を印加していくことで、走査線３１を走査して、ＴＦＴ３７のオンオフを切り替える。
【００８７】
信号線ドライバ３４は、信号線駆動手段の一例である。信号線ドライバ３４は、制御回路３ｂから受け付けたＯＤ画像に応じた階調電圧を信号線３２に印加する。これにより、ＴＦＴ３７がオンのときに、その画像に応じた階調電圧が蓄積容量３６および画素３５に印加される。蓄積容量３６は、この階調電圧を一定時間保持する。この階調電圧に応じて画素３５の液晶の光透過率が変化し、光源３ａからの光がその光透過率の液晶を透過することで、画像が表示される。
【００８８】
なお、走査線ドライバ３３は、走査線を、画面の上から下に向かって１ラインずつ走査していくものとする。しかしながら、走査線ドライバ３３は、走査線を、画面の下から上に向かって走査してもよいし、１ラインごとに飛び越しながら走査していってもよい。信号線ドライバ３４は、走査線ドライバ３３で選択される順に画像に応じた階調電圧を信号線３２に供給すればよい。
【００８９】
これにより、時分割表示装置３は、ＯＤ画像に応じた画像を表示することができる。なお、時分割表示装置３は、第１画像〜第３画像のそれぞれに対応する各ＯＤ画像を、１フレーム期間（１／６０≒１６．７ｍ秒）の間に１回ずつ表示する。
【００９０】
図１４は、図１３Ａで示した時分割表示装置３における１フレーム期間の動作例を説明するためのタイミングチャートである。
【００９１】
図１４では、制御回路３ｂは、光源３ａを常に点灯させている。また、液晶パネル３ｃの走査線ドライバ３３による各ＯＤ画像の走査期間は、１フレーム期間の１／３（５．６ｍ秒）に相当するサブフレーム期間Ｔｓである。したがって、常に画像が表示されることになる。
【００９２】
なお、図１４では、画像を表示する順番は、第１画像→第２画像→第３画像の順にしているが、他の順番でもよい。ただし、フレーム毎に画像を表示する順番を変えると、フレーム周波数は６０ＦＰＳでも、サブフレームが表示されるサブフレーム周波数が６０ＦＰＳより小さくなり、人間の目にフリッカが知覚される場合がある。このため、全てのフレームで画像を同じ順番で表示するのが望ましい。したがって、多重化部１１は、全てのフレームで画像を同じ順番に多重化することが望ましい。ただし、フレーム周波数が速く、順番を変えても全てのサブフレーム周波数が６０ＦＰＳ以上にできる場合は、この限りでない。以上により、多重化画像が、第１画像〜第３画像のそれぞれに時分割されて表示される。
【００９３】
図１５は、図１３Ａで示した時分割表示装置３における１フレーム期間の他の動作例を説明するためのタイミングチャートである。
【００９４】
図１５では、時分割表示装置３の制御回路３ｂは、各ＯＤ画像を、そのＯＤ画像の１フレーム期間（１サブフレーム期間）Ｔｓよりも短い所定期間で走査線ドライバ３３および信号線ドライバに走査させるとともに、その所定期間において光源３ａを消灯させる。その後、所定期間以外の期間において、制御回路３ｂは、光源３ａを点灯させる。これにより、時分割表示装置３は、ＯＤ画像をサブフレーム期間より短い期間で走査し、その後、各画素３５の液晶の光透過率が応答してからバックライトを点灯させるバックライトブリンキング駆動を行うことになる。なお、Ｋを１より大きい実数であるとすると、各ＯＤ画像の走査期間は、Ｔｓ／Ｋで表わすことができる。
【００９５】
図１４の例では、常に画像が表示されているため、後述する、光シャッタのオンオフを時間的に切り替えることにより、第１画像〜第３画像のいずれか１つを選択してユーザに知覚させる場合、その選択された画像以外の画像がユーザに見える現象（クロストーク）が発生することがある。一方、図１５の駆動方法では、ある画像が表示されてから次の画像が表示される間に時間があるので、クロストークの発生を抑制することが可能になる。また、図１５の駆動方法は、図１４の駆動方法に比べて、ＣＲＴディスプレイなどのインパルス型の表示装置の駆動方法に近いため、動きの激しい動画が表示された際に、動きボケの少ないクリアな映像を提供することが可能になる。
【００９６】
しかしながら、図１５を用いて説明したバックライトブリンキング駆動では、画質が向上するが、図１４の構成よりも２倍の走査速度で有効表示領域３８を走査しなければならない。
【００９７】
走査線３１や信号線３２は、クロム（Ｃｒ）あるいはアルミ（Ａｌ）等の化合物による導体で形成されてはいるが、信号線幅に対して信号線長が非常に長いため、走査線ドライバ３３や信号線ドライバ３４から見た場合、抵抗成分と容量成分からなる負荷となる。また、画素３５、ＴＦＴ３７の抵抗成分、蓄積容量３６なども走査線ドライバ３３や信号線ドライバ３４の負荷となる。したがって、走査速度が上がると、走査線ドライバ３３や信号線ドライバ３４がこれらの負荷を駆動しきれなくなり、画質低下などの様々な不具合が発生しやすくなるという問題がある。
【００９８】
図１６は、走査速度を上げずにバックライトブリンキング駆動を実現することで、この問題を解決することが可能な時分割表示装置３の構成を示したブロック図である。
【００９９】
図１６で示した時分割表示装置３では、各画素３５に対応するＴＦＴが２個（ＴＦＴ３７Ａおよび３７Ｂ）あり、蓄積容量が２個（蓄積容量３６Ａおよび３６Ｂ）あることと、書込み制御回路３３Ｂがさらに備わっている点が図１３で示した構成と異なる。
【０１００】
なお、蓄積容量３６Ａは、蓄電素子の一例であり、自蓄積容量に対応する画素３５への階調電圧を保持する。また、蓄積容量３６Ｂは、図１３の蓄積容量３６と同等な機能を有する。
【０１０１】
ＴＦＴ３７Ａは、走査線３１および信号線３２の交差部と、蓄積容量３６Ａとの間に介在する。ＴＦＴ３７Ｂは、スイッチの一例であり、蓄積容量３６Ａと画素３５とに介在する。
【０１０２】
走査線ドライバ３３は、走査線３１を走査してＴＦＴ３７Ａのオンオフを切り替える。
【０１０３】
書込み制御回路３３Ｂは、ＴＦＴ３７Ｂのオンオフを切り替える。より具体的には、書込み制御回路３３Ｂは、全てのＴＦＴ３７Ｂのオンオフを略同時に切り替える。なお、書込み制御回路３３Ｂは、走査線ドライバ３３あるいは信号線ドライバ３４に内蔵されても良い。
【０１０４】
図１７は、図１６で示した時分割表示装置３における１フレーム期間の動作例を説明するためのタイミングチャートである。
【０１０５】
走査線ドライバ３３は、走査線３１を走査して、ＴＦＴ３７Ａのオンオフを切り替える。信号線ドライバ３４は、画像処理装置２から受け付けた画像に応じた階調電圧を信号線３２に印加する。これにより、ＴＦＴ３７Ａがオンのときに、画像に応じた階調電圧が蓄積容量３６Ａに蓄積される。
【０１０６】
走査線ドライバ３３が全ての走査線３１に走査電圧を出力して、画面全体の走査を終了すると、書込み制御回路３３Ｂは、全てのＴＦＴ３７Ｂを略同時にオンにする。これにより、蓄積容量３６Ａに蓄積された階調電圧が画素３５に印加されて、画面全体が新しい画像に変更される。その直後に、書込み制御回路３３Ｂが全てのＴＦＴ３７Ｂをオフにし、走査線ドライバ３３と信号線ドライバ３４が、次の画像データを走査（書込み）していく。
【０１０７】
制御回路３ｂは、光源３ａを、階調電圧が画素３５に印加されて画素３５の液晶の光透過率が応答してからＴＦＴ３７Ｂがオンになるまで点灯する。これにより、時分割表示装置３には、走査中の画像よりも前の画像が常に表示される。この走査期間は、図１５の場合と比べて長くすることができ、１サブフレーム期間（５．６ｍｓｅｃ）と同じにすることができる。したがって、走査速度を上げずにバックライトブリンキング駆動を実現することができる。なお、図１５の場合と比べて光源３ｃの点灯期間を長くすることが可能になるので、画像の輝度を向上させることもできる。なお、光シャッタによる画像の選択を行わない場合には、バックライトを常に点灯させてもよい。
【０１０８】
また、書込み制御回路３３Ｂにて全ての画素に階調電圧を書き込む際、蓄積容量３６Ａと蓄積容量３６Ｂの容量結合により画素３５に印加される電圧が決定される。このとき、蓄積容量３６Ｂに前の画像の階調電圧が残っていると、その残留電圧によって、画素に印加される電圧が所望の電圧からずれる場合がある。このような電圧のずれを抑制するために、各画素３５に印加される電圧を所定の値（例えばＧＮＤレベル）にリセットするためのリセットＴＦＴがさらに設けられてもよい。
【０１０９】
リセットＴＦＴが、全ての画素３５に電圧が書き込まれる直前にオンにされ、全ての画素３５を一斉にリセットすると、残留電圧が解消されるので、全ての画素３５に所望の電圧を確実に書き込むことができる。これにより、表示画質が向上する。
【０１１０】
＜オーバードライブ演算＞
図１８は、ＯＤ演算部２５の構成例を示したブロック図である。図１８において、ＯＤ演算部２５は、格納部２５０と、オーバードライブ計算回路２５１とを含む。
【０１１１】
格納部２５０は、例えば、ＲＯＭまたはＲＡＭなどであり、オーバードライブルックアップテーブル（ＬＵＴ：Lookup  table）２５２を格納する。オーバードライブＬＵＴ２５２は、対象画像の画素値と参照画像の画素値との組み合わせと、ＯＤ画像の画素値との対応関係を示す。
【０１１２】
図１９は、オーバードライブＬＵＴ２５２の一例を示した説明図である。なお、図１９において、各画素の画素値は８ビットであるとしている。
【０１１３】
図１９において、オーバードライブＬＵＴ２５２は、対象画像の画素値と参照画像の画素値との全ての組み合わせと、ＯＤ画像の画素値との対応関係を示す。より具体的には、対象画像の画素値と参照画像の画素値と組み合わせに対応するＯＤ画像の画素値がマトリックス状に配置されている。例えば、対象画像の画素値が１で、参照画像の画素値が３の場合、ＯＤ画像の画素値は１０となる。
【０１１４】
オーバードライブ計算回路２５１は、オーバードライブＬＵＴ２５２を参照して、対象画像の画素値を変換する。より具体的には、オーバードライブ計算回路２５１は、対象画像の画素値と参照画像の画素値とを調べ、その対象画像の画素値を、オーバードライブＬＵＴ２５２の中で、その調べた画素値の組み合わせに対応するＯＤ画像の画素値に変換する。
【０１１５】
また、オーバードライブＬＵＴ２５２は、図１９で示したように、全ての組み合わせを有する２５６（２８）×２５６（２８）のマトリクスでなくてもよい。例えば、オーバードライブＬＵＴ２５２は、図２０で示したように、対象画像の画素値と参照画像の画素値との全ての組み合わせのうちの所定の組み合わせと、ＯＤ画像の画素値との対応関係を示してもよい。なお、図２０では、オーバードライブＬＵＴ２５２は、３２階調ごとに画素値の組み合わせを示した８×８のマトリクスとなっている。
【０１１６】
この場合、入力された対象画像の画素値と入力された参照画像の画素値の組み合わせがオーバードライブＬＵＴ２５２にある場合、オーバードライブ計算回路２５１は、その組み合わせに対応したＯＤ画像の画素値を選択する。
【０１１７】
一方、入力された対象画像の画素値と入力された参照画像の画素値の組み合わせ（以下、入力組み合わせと称することもある）がオーバードライブＬＵＴ２５２にない場合、オーバードライブ計算回路２５１は、その組み合わせと、オーバードライブＬＵＴ２５２内の所定の組み合わせとに基づいて、ＯＤ画像の画素値を計算する。
【０１１８】
例えば、オーバードライブ計算回路２５１は、所定の組み合わせの中で、その入力組み合わせに隣接する２つの隣接組み合わせ内の画素に基づいて線形補間を行い、ＯＤ画像の画素値を計算する。
【０１１９】
例えば、対象画像の画素値が１０３であり、参照画像の画素値が２０８である場合、オーバードライブ計算回路２５１は、図２０の角丸四角形で示された４つの組み合わせ（（対象画像の画素値、参照画像の画素値）＝（９６，１９２）、（１２８，１９２）、（９６，２２４）、（１２８，２２４））に対応する画素値（７１，１０７，５５，９１）に基づいて線形補間を行い、ＯＤ画像の画素値を計算する。
【０１２０】
オーバードライブ計算回路２５１は、その選択または計算した画素値に、対象画像の画素値を変換する。
【０１２１】
＜ダミー入り多重化方法＞
時分割表示装置３の走査において水平・垂直ブランキングがある場合や、図１５で示したようにバックライトブリンキング駆動を行う場合など、時分割表示装置３が１サブフレーム期間より短い時間で走査する場合、多重化画像にブランキング期間に相当するダミー画像を挿入してもよい。
【０１２２】
図２１は、ダミー画像が挿入された多重化画像を示した説明図である。なお、時分割表示装置３における走査期間は１サブフレームの半分の期間であるものとする。
【０１２３】
多重化部１１は、図２１で示したように、第１〜第３画像のそれぞれに、非走査期間（液晶応答期間およびバックライト点灯期間など）に相当するダミー画像を面順次形式で多重化し、そのダミー画像が多重化された画像を面順次形式で多重化する。これにより、第１画像と第２画像の間、第２画像と第３画像の間、および、第３画像の下にダミー画像が挿入されることになる。
【０１２４】
サブフレーム期間をＴｓとしたとき、時分割表示装置３におけるＯＤ画像の走査期間がＴ／Ｋの場合、ダミー画像の画素数は、第１〜第３画像のそれぞれの画素数のＫ−１倍となる。なお、Ｋは、１より大きい実数である。
【０１２５】
以下、Ｋを２とする。つまり、ＯＤ画像の表示期間がＴ／２であり、ダミー画像の画素数は、第１〜第３画像のそれぞれの画素数と同じ（８００画素×６００ライン）になる。従って、ダミー画像入りの多重化画像は、図１１で示した多重化画像の２倍の大きさ、つまり８００画素×３６００ラインの画像となる。
【０１２６】
このように多重化画像が大きくなると、ＤＶＩ規格で定義されているシングルリンクモードでは、伝送帯域が不十分となり多重化画像を伝送できない場合がある。この場合、ＤＶＩ規格で定義されているデュアルリンクモードに対応したケーブル、トランシーバおよびレシーバを用いることで多重化画像を伝送させることができる。なお、ＨＤＭＩやＤｉｓｐｌａｙＰｏｒｔなどの比較的新しい映像伝送規格では、ＤＶＩよりも広い伝送帯域が確保されているため、より大きい多重化画像を伝送させることができる。
【０１２７】
図２２は、図２１で示した多重化画像を伝送させる場合における画像伝送システムの動作例を説明するためのタイミングチャートである。
【０１２８】
受信部２１は、多重化画像内のデータ（画素値）を受信するたびに、その受信データをコントローラ２２およびＯＤ演算部２５に出力する。
【０１２９】
コントローラ２２は、受信部２１から多重化画像のサブフレーム（以下、現１とする）の先頭データを受け付けると、フレームメモリ２３の書き込みアドレスを先頭に設定する。その後、コントローラ２２は、現１のデータを順次フレームメモリ２３に書き込んでいく。コントローラ２２は、現１の最後のデータを書き込むと、その後のダミー画像を全て破棄する。多重化画像が現１から現２に切り替わると、コントローラ２２は、書込みドレスを先頭に戻して、現２を現１と同様に順次フレームメモリ２３に書き込んでいく。
【０１３０】
このようにダミー画像は全て破棄されるので、フレームメモリ２３のメモリ量は、ダミー画像のない場合と同じでよい。つまり、フレームメモリ２３のメモリ量は、第１画像〜第３画像の一つを記憶できる大きさでよく、換言すれば、多重化画像の１／６のサイズでよい。
【０１３１】
ＯＤ演算部２５は、受信部２１から画像を受け付け、また、フレームメモリ２３から画像を読み出す。ＯＤ演算部２５は、受信部２１から受け付けた画像の画素値を、フレームメモリ２３から読み出した画像に基づいてオーバードライブ演算を行ってＯＤ画像を生成し、そのＯＤ画像を時分割表示装置３に出力する。
【０１３２】
このとき、ＯＤ演算部２５がフレームメモリ２３から画像を読み出す速度は、時分割表示装置３の走査速度と同じにする必要があるため、図９の場合に比べて速い。具体的には、ＯＤ画像の走査期間がＴｓ／Ｋの場合、この画像の読み出し速度は、ＯＤ画像の走査期間がＴｓの場合に比べて、Ｋ倍（多重化画像が図２１の場合、２倍）となる。
【０１３３】
時分割表示装置３は、現１ＯＤのデータを受け、１サブフレーム期間の半分の期間で走査し、液晶の応答を待ってからバックライトを点灯させる。
【０１３４】
次に効果を説明する。
【０１３５】
本実施形態では、多重化部１１は、Ｎ個の画像を表示順に多重化して多重化画像を生成する。送信部１２は、その多重化画像を送信する。フレームメモリ２３は、受信部２１が受信した多重化画像内の画像を、その画像の１フレーム期間（１サブフレーム期間）だけ遅延して参照画像を生成する。ＯＤ演算部２５は、受信部２１が多重化画像内の画像を受信するたびに、その画像（対象画像）の画素値をその参照画像に基づいて変換して、オーバードライブ画像を生成する。時分割表示装置３は、そのオーバードライブ画像を表示する。なお、参照画像は、多重化画像が表示順に多重化されているため、対象画像より表示順が一つ前になる。
【０１３６】
このため、多重化画像内の対象画像の画素値が、その対象画像より表示順が一つ前の参照画像に基づいて変換される。したがって、対象画像の画素値を正確に変換することが可能になるので、対象画像の画質を向上させることが可能になる。
【０１３７】
また、本実施形態では、多重化部１１は、画像を表示順に面順次形式で多重化する。また、時分割表示装置３は、１サブフレーム期間をＴｓとしたとき、オーバードライブ画像の走査期間をＴｓとする。
【０１３８】
この場合、各画像の伝送速度と、その画像に対応するオーバードライブ画像の走査速度とが同じになるため、走査速度を調整するためのフレームメモリ等が必要なくなる。したがって、コストの低減化を図ることが可能になる。
【０１３９】
また、本実施形態では、多重化部１１は、Ｋを１より大きい実数としたとき、画像のそれぞれに、その画像の画素数のＫ−１倍の画像数のダミー画像を面順次形式で多重化し、そのダミー画像が多重化された表示画像を面順次形式で多重化する。時分割表示装置３は、オーバードライブ画像の走査期間をＴｓ／Ｋとする。
【０１４０】
この場合、走査速度を上げずにバックライトブリンキング駆動を実現することができる。
【０１４１】
また、本実施形態では、ＯＤ演算部２５の格納部２５０は、対象画像の画素値と参照画像の画素値の組み合わせと、ＯＤ画像の画素値との対応関係を示したオーバードライブＬＵＴ２５２を格納する。ＯＤ演算部２５のオーバードライブ計算回路２５１は、格納部２５０に格納されたオーバードライブＬＵＴ２５２を参照して、対象画像の画素値を変換する。
【０１４２】
この場合、容易にかつ正確に対象画像の画素値を変換することが可能になる。
【０１４３】
また、本実施形態では、オーバードライブＬＵＴ２５２は、対象画像の画素値と参照画像の画素値の全ての組み合わせとＯＤ画像の画素値との対応関係を示す。また、オーバードライブ計算回路２５１は、オーバードライブＬＵＴ２５２の中で、対象画像の画素値を、対象画像の画素値と参照画像の画素値の全ての組み合わせに対応するＯＤ画像の画素値に変換する。
【０１４４】
この場合、ＯＤ画像の画素値を求めるための計算量を軽減させることが可能になる。
【０１４５】
また、本実施形態では、オーバードライブＬＵＴ２５２は、対象画像の画素値と参照画像の画素値との所定の組み合わせと、ＯＤ画像の画素値との対応関係を示す。入力された対象画像の画素値と入力された参照画像の画素値の組み合わせがオーバードライブＬＵＴ２５２にある場合、オーバードライブ計算回路２５１は、対象画像の画素値を、その組み合わせに対応したＯＤ画像の画素値に変換する。一方、入力された対象画像の画素値と入力された参照画像の画素値の組み合わせがオーバードライブＬＵＴ２５２にない場合、オーバードライブ計算回路２５１は、その組み合わせと所定の組み合わせに基づいて、ＯＤ画像の画素値を計算し、対象画像の画素値をその計算した画素値に変換する。
【０１４６】
この場合、オーバードライブＬＵＴ２５２を格納するためのメモリ量を軽減させることが可能になる。
【０１４７】
＜第２の実施形態＞
図２３は、本発明の第２の実施形態における画像伝送システムを示したブロック図である。図２３において、画像伝送システムは、画像送信装置１と、画像処理装置２と、時分割表示装置３とを含む。
【０１４８】
画像送信装置１は、図８と同様な構成を有する。なお、画像送信装置１の多重化部１１は、第１の実施形態では、３系統の画像を面順次形式で多重化していたが、本実施形態では、３系統の画像を点順次形式または面順次形式で多重化する。
【０１４９】
画像処理装置２は、受信部２１と、入力側のフレームメモリ２３Ａと、出力側のフレームメモリ２３Ｂと、ＯＤ演算部２５Ａ〜２５Ｃを有する演算部と、を含む。また、画像処理装置２は、画像間演算部２４をさらに備えてもよい。
【０１５０】
フレームメモリ２３Ａは、記憶手段の一例である。フレームメモリ２３Ａは、受信部２１が受信した多重化画像内の第１〜第３画像の全てを記憶する。つまり、フレームメモリ２３Ａには、図８のフレームメモリ２３と異なり、３つの画像を記憶できるメモリ量が必要となる。
【０１５１】
演算部は、フレームメモリ２３内の第１〜第３画像のそれぞれの画素値を、フレームメモリ２３に記憶されたその画像より表示順が一つ前の参照画像に基づいて変換して、第１〜第３画像のそれぞれに対応する３つのＯＤ画像を生成する。なお、演算部は、生成手段の一例である。
【０１５２】
ここで、第１画像（現１とする）より表示順が一つ前の画像である前３はフレームメモリ２３に記憶されていないので、演算部は、現１の画素値を、現３を参照画像としても用いて変換する。
【０１５３】
ＯＤ演算部２５Ａ〜２５Ｃのそれぞれは、多重化画像内の第１〜第３画像のいずれかに１対１で対応し、その対応した画像の画素値を変換する。以下、ＯＤ演算部２５Ａは第１画像に対応し、ＯＤ演算部２５Ｂは第２画像に対応し、ＯＤ演算部２５Ｃは第３画像に対応するものとする。
【０１５４】
フレームメモリ２３Ｂは、記録手段の一例である。フレームメモリ２３Ｂは、演算部が同一の多重化画像内の画像から生成した３つのＯＤ画像の全てを記憶する。したがって、フレームメモリ２３Ｂは、３つの画像を記憶できるメモリ量が必要となる。
【０１５５】
時分割表示装置３は、図１３または図１６と同じ構成を有する。時分割表示装置３は、フレームメモリ２３Ｂに記憶された３つの画像を表示順に有効表示領域３８に表示していく。
【０１５６】
＜多重化方法：点順次＞
画像を点順次形式で多重化する場合について説明する。
【０１５７】
多重化部１１は、第１画像〜第３画像を図２４で示したような多重化画像（２４００画素×６００ライン）に多重化する。より具体的には、多重化部１１は、第１〜第３画像を、その第１〜第３画像のそれぞれの同じ位置の画素値を並べて配置していく点順次形式で多重化する。
【０１５８】
図２４では、各画素において第１画像、第２画像、第３画像の順で多重化されているが、点順次形式では、面順次形式と異なり、画像を表示順に多重化しなくても良い。点順次形式による多重化方法においては、第１〜第３画像の同じ位置の画素値が、略同じ時刻に伝送されることが重要である。従って、本実施形態では、厳密に点順次形式で画像を多重化させなくてもよく、第１〜第３画像の同じ位置の画素値が、ある程度近い時間内に伝送されるように多重化されればよい。しかしながら、同じ位置の画素値の時間的なずれが大きくなると、画像処理装置２で順序を揃えるためのメモリのメモリ量が大きくなる。
【０１５９】
また、多重化画像のサイズは、面順次形式の場合と同様に、伝送順が変わらない範囲で調整することができる。つまり、多重化部１１は、第１画像〜第３画像を、図２５に示すように１２００画素×１２００ラインの多重化画像に多重化してもよい。
【０１６０】
＜画像伝送システムの動作：面順次＞
図２６は、面順次形式で多重化された多重化画像を送信する場合における画像伝送システムの動作例を説明するためのタイミングチャートである。なお、各ＯＤ画像の走査期間は、サブフレーム期間Ｔｓと同じであるとする。
【０１６１】
受信部２１が受信した多重化画像内の各画像は、不図示のコントローラにてフレームメモリ２３Ａに記憶される。ここで、コントローラは、受信部２１から多重化画像のサブフレーム（以下、現１とする）先頭データを受け付けると、フレームメモリ２３の書き込みアドレスを先頭に設定する。その後、コントローラは、現１〜現３を順次フレームメモリ２３Ａに書き込んでいく。多重化画像が現３から次１に切り替わると、コントローラは、書き込みアドレスを先頭に戻して、次１〜次３を順次フレームメモリ２３に書き込んでいく。
【０１６２】
コントローラは、フレームメモリ２３Ａに記憶されている現１〜現３を、現２の書き込み終了時刻から次１の書き込み開始時刻までの間に、同時に読み出す。このため、フレームメモリ２３Ａからの読み出し速度は、１フレーム期間の１／３の期間で現１〜現３の全てを読み出せる速度が必要となる。以下、この速度を３倍速と称する。
【０１６３】
演算部は、その読み出した現１〜現３のそれぞれの画素値を変換して、現１〜現３のそれぞれに対応する３つのＯＤ画像（現１ＯＤ〜現３ＯＤ）を生成する。より具体的には、ＯＤ演算部２５Ａは、現１を対象画像とし、現３を参照画像としてオーバードライブ演算を行って現１のオーバードライブ画像（現１ＯＤ）を生成する。ＯＤ演算部２５Ｂは、現２を対象画像とし、現３を参照画像としてオーバードライブ演算を行って現２のオーバードライブ画像（現２ＯＤ）を生成する。ＯＤ演算部２５Ｃは、現３を対象画像とし、現２を参照画像としてオーバードライブ演算を行って現３のオーバードライブ画像（現３ＯＤ）を生成する。
【０１６４】
フレームメモリ２３Ｂには、演算部で生成された現１ＯＤ〜現３ＯＤの全てが、１フレーム期間の１／３の期間で書き込まれる。このため、フレームメモリ２３Ｂへの書き込み速度は、１フレーム期間の１／３の期間で現１〜現３の全てを書き込める速度となる。以下、この速度を３倍速と称する。
【０１６５】
時分割表示装置３は、フレームメモリ２３Ｂから現１ＯＤ〜現３ＯＤを表示順に面順次形式で読み出して表示する。
【０１６６】
＜画像伝送システムの動作：点順次＞
図２７は、点順次形式で多重化された多重化画像を送信する場合における画像伝送システムの動作例を説明するためのタイミングチャートである。なお、時分割表示装置３は、各ＯＤ画像の走査期間は、サブフレーム期間Ｔｓと同じであるとする。
【０１６７】
受信部２１が受信した多重化画像内の各画像は、不図示のコントローラにてフレームメモリ２３Ａに記憶される。ここで、多重化画像は点順次形式で多重化されているので、不図示のコントローラは、現１〜現３を同時にフレームメモリ２３Ａに書き込んでいく。多重化画像が現１〜現３の最後の画素から次１に切り替わると、コントローラは、書込みアドレスを先頭に戻して、次１〜次３を同時にフレームメモリ２３Ａに書き込んでいく。
【０１６８】
ＯＤ演算部２５Ａ〜２５Ｃを有する演算部は、フレームメモリ２３Ａ内の現１〜現３を、現１〜現３の記憶が終了された時刻の１サブフレーム前の時刻から、現１〜現３の記憶が終了された時刻までの間に３倍速で読み出す。
【０１６９】
演算部は、その読み出した現１〜現３のそれぞれの画素値を変換して、現１〜現３のそれぞれに対応する３つのＯＤ画像（現１ＯＤ〜現３ＯＤ）を生成して出力する。このＯＤ画像を生成する方法は、面順次形式の場合（図２６）と同様である。
【０１７０】
フレームメモリ２３Ｂには、演算部から出力された現１ＯＤ〜現３ＯＤが、３倍速で書き込まれる。時分割表示装置３は、フレームメモリ２３Ｂから現１ＯＤ〜現３ＯＤを表示順に面順次形式で読み出して表示する。
【０１７１】
＜Ｎ枚の画像を多重化する場合＞
Ｎ枚の画像（第１画像〜第Ｎ画像）が１枚の多重化画像に多重化される場合、時分割表示装置３は、Ｎ枚の画像を１フレーム期間に表示順に表示する。
【０１７２】
この場合、時分割表示装置３は、フレームメモリ２３Ｂから、Ｎ枚のＯＤ画像を１フレーム期間で読み出す必要があるので、図２８で示したように、ＯＤ画像のそれぞれを１フレーム期間Ｔの１／Ｎの期間（Ｔ／Ｎ）で読み出す。つまり、時分割表示装置３は、Ｎ枚のＯＤ画像をＮ倍速で読み出す。
【０１７３】
フレームメモリ２３ＢにＯＤ画像を書き込む時間を最も長くするためには、第１画像の読み出しが開始されるタイミングと、第１画像の書き込みが終了するタイミングとが同じであり、かつ、第Ｎ画像の読み出しが開始されるタイミングと、次のフレームの第１画像の書き込みが開始されるタイミングとが同じになるときである。つまり、フレームメモリ２３Ｂへの書き込み速度は、フレームメモリ２３Ｂからの読み出し速度の１／２、つまりＮ／２倍速以上であればよい。
【０１７４】
フレームメモリ２３Ａから読み出し速度もこの書き込み速度と同じになる。なお、図２９で示したように、これらの速度は、多重化画像が面順次形式で多重化されている場合も、多重化画像が点順次形式で多重化されている場合も、同じになる。
【０１７５】
例えば、Ｎ＝３の場合、フレームメモリ２３Ｂへの書き込み速度は、３／２（＝１．５）倍速以上であればよい。
【０１７６】
多重化画像が面順次形式で多重化されており、かつ、フレームメモリ２３Ｂへの書込み速度を１．５倍速とした場合における動作を表わすタイミングチャートを図３０に示す。
【０１７７】
図３０の場合、図２６に比べて読み書きの速度が半分で済むので、ＯＤ演算部２５Ａ〜２５ＣをＬＳＩやＦＰＧＡ等で構成する場合、より低速な半導体プロセスでも実現できるため、部品コストを削減することができる。
【０１７８】
＜画像伝送システムの動作：面順次、バックライトブリンキング表示＞
図３１は、バックライトブリンキング駆動が行われる場合における画像伝送システムの動作を説明するためのタイミングチャートである。なお、多重化画像は面順次形式で多重化されている。なお、フレームメモリ２３ＢにＯＤ画像が書き込まれるまでの動作は、図２６で説明した動作と同じであるため、その説明は省略する。
【０１７９】
時分割表示装置３がフレームメモリ２３Ｂから現１ＯＤ〜現３ＯＤを面順次で読み出す。このとき、バックライトブリンキングを行うためには、時分割表示装置３は、フレームメモリ２３Ｂからの読み出し速度および走査速度を、図２６の場合より速くする。つまり、時分割表示装置３は、各ＯＤ画像を１サブフレーム期間よりも短い時間（Ｔｓ／Ｋ）で走査させることで、バックライドブリンキング駆動を行う。なお、フレームメモリ２３ＢにＯＤ画像が書き込まれるまでの動作は、図２６で説明した動作と同じであるため、多重化画像が点順次形式で多重化されていても、バックライトブリンキング駆動を実現することができる。
【０１８０】
＜一般の場合：Ｎ枚伝送、Ｋ倍速走査＞
図３２は、多重化画像にＮ枚の画像が多重化され、かつ、バックライトブリンキング駆動が行われる場合における画像伝送システムの動作を説明するためのタイミングチャートである。なお、図２８と同様に、多重化画像がＮ枚の画像を多重化されて生成され、時分割表示装置３がＮ枚のＯＤ画像を１フレーム期間中に順次表示するものとする。また、各ＯＤ画像の走査期間は、サブフレーム期間Ｔｓを用いると、Ｔｓ／Ｋ、つまり、フレーム期間Ｔを用いると、Ｔ／（ＮＫ）とする。
【０１８１】
時分割表示装置３が各ＯＤ画像を読み出す速度は、図２８の場合の速度のＫ倍であるとする。図３２の場合、図２８の場合と比べて、時分割表示装置３が現１の読み出しを終了するタイミングが早くなっている。このため、現１のフレームメモリ２３Ｂへの書き込みが行われる期間は、図２８の場合と比べてＴ／（ＮＫ）だけ短い必要がある。したがって、フレームメモリ２３Ａから一つの画像を読み出す期間は、１フレーム期間の（１＋Ｋ）Ｔ／（ＮＫ）倍必要となり、フレームメモリ２３から画像をＮ／（１＋Ｋ）倍速で読み出せばよくなる。Ｎ＝３およびＫ＝２の場合、フレームメモリ２３から画像を２×３／（１＋２）＝２倍速以上で読み出せばよい。なお、図２９で示されているとうに、フレームメモリ２３Ａからの読み出し速度を２倍速以上にすることは可能である。
【０１８２】
したがって、バックライトブリンキングのためにＫ倍速でＯＤ画像を走査する場合、フレームメモリ２３Ｂへの書込み速度（フレームメモリ２３Ａからの読み出し速度）は、ＫＮ／（１＋Ｋ）倍速以上であればよい。
【０１８３】
次に効果を説明する。
【０１８４】
本実施形態では、フレームメモリ２３Ａは、受信部２１が受信した多重化画像内のＮ個の画像を全て記憶する。演算部は、フレームメモリ２３Ａ内の画像（対象画像）のそれぞれの画素値を、フレームメモリ２３Ａに記憶された、その対象画像より表示順が１つ前の参照画像に基づいて変換してＮ個のＯＤ画像を生成する。フレームメモリ２３Ｂは、演算部が生成したＯＤ画像を全て記憶する。時分割表示装置は、フレームメモリ２３Ｂが記憶した画像を表示順に表示する。
【０１８５】
この場合、多重化画像内の対象画像の画素値が、その対象画像より表示順が一つ前の参照画像に基づいて変換される。したがって、対象画像の画素値を正確に変換することが可能になるので、対象画像の画質を向上させることが可能になる。
【０１８６】
また、本実施形態では、多重化部は、画像を表示順に面順次形式または点順次形式で多重化する。各ＯＤ画像の走査期間は、サブフレーム期間をＴｓとしたとき、Ｔｓとなる。
【０１８７】
この場合、フレームメモリ２３Ｂからの読み出し速度を比較的小さくすることが可能になる。
【０１８８】
また、本実施形態では、各ＯＤ画像の走査期間は、サブフレーム期間をＴｓとしたとき、Ｔｓ／Ｋとなる。この場合、バックライドブリンキング駆動を行うことが可能になる。
【０１８９】
また、本実施形態では、演算部は、多重化画像内の画像のうちの表示順が最も早い表示画像（現１）の画素値を、その多重化画像のうちの表示順が最も遅い表示画像（現３）を参照画像として用いて変換する。
【０１９０】
この場合、現１の画素値を簡単に変換することが可能になる。また、現３の画像が静止画像であれば、現１の画素値を正確に変換することが可能になる。
【０１９１】
＜第３の実施形態＞
図３３は、本発明の第２の実施形態における画像伝送システムを示したブロック図である。図３３において、画像伝送システムは、画像送信装置１と、画像処理装置２と、時分割表示装置３とを含む。
【０１９２】
画像送信装置１は、図２３と同様な構成を有する。なお、画像送信装置１の多重化部１１は、第２の実施形態では、３系統の画像を面順次形式または点順次形式で多重化していたが、本実施形態では、３系統の画像を点順次形式で多重化する。
【０１９３】
画像処理装置２は、図２３で示した構成からフレームメモリ２３Ａを除いた構成を有する。
【０１９４】
ＯＤ演算部２５Ａ〜２５Ｃを有する演算部は、受信部２１が多重化画像内の画像の画素値を受信するたびに、その画素値を、その多重化画像内のその画像より表示順が一つ前の参照画像に基づいて変換して、第１〜第３画像のそれぞれに対応する３つのＯＤ画像を生成する。
【０１９５】
ここで、第１画像（現１とする）より表示順が一つ前の画像である前３は多重化画像内にないので、現１の画素値は、現３を参照画像とし、その参照画像の画素値に基づいて変換する。なお、ＯＤ演算部は、前３を記憶するフレームメモリを有し、その前３を現１の参照画像としてもよい。
【０１９６】
ＯＤ演算部２５Ａ〜２５Ｃのそれぞれは、第２の実施形態と同様に、多重化画像内の第１〜第３画像のいずれかに１対１で対応し、その対応した画像の画素値を変換する。以下、ＯＤ演算部２５Ａは第１画像に対応し、ＯＤ演算部２５Ｂは第２画像に対応し、ＯＤ演算部２５Ｃは第３画像に対応するものとする。
【０１９７】
＜画像伝送システムの動作＞
図３４は、本実施形態の画像伝送システムの動作を説明するためのタイミングチャートである。
【０１９８】
多重化画像内の第１〜第３画像は点順次形式で多重化されているため、受信部２１は、第１〜第３画像の同じ位置の画素値を略同時に受信する。このため、その同じ位置の画素値のそれぞれは、フレームメモリ２３Ａを介さずに、演算部に入力される。なお、同じ位置の画素値のそれぞれは、完全には同時でないので、それらの画素値を１〜２画素分遅延させるための遅延回路が必要となるが、その遅延回路は、フレームメモリ２３に比べて無視できるほど小さいので省略してある。
【０１９９】
ＯＤ演算部２５Ａ〜２５Ｃの動作は、第２の実施形態と同様であるので詳細な説明は省略する。ＯＤ演算部２５Ａ〜２５Ｃのそれぞれで生成された現１ＯＤ〜現３ＯＤは、フレームメモリ２３Ｂに１倍速で同時に書き込まれる。このとき、時分割表示装置３は、現１ＯＤ〜現３ＯＤのデータを面順次で読み出す必要があるため、フレームメモリ２３Ｂでは、３枚分の画像を記憶できるメモリ量では足りず、最低でも４枚分の画像を記憶できるメモリ量が必要となる。
【０２００】
時分割表示装置３の駆動部は、フレームメモリ２３Ｂから現１ＯＤ〜現３ＯＤを表示順に面順次形式で読み出して、有効表示領域３８に表示する。
【０２０１】
＜メモリ量：Ｎ系統の画像を多重化する場合＞
Ｎ枚の画像が多重化された場合における、フレームメモリ２３Ｂに必要なメモリ量について説明する。
【０２０２】
図３５は、このメモリ量を説明するためのタイミングチャートである。図３５では、フレームメモリ２３Ｂのメモリ量がＮ枚の画像分ある場合（Ｎ面の場合）のフレームメモリ２３Ｂの読み出しと書き込みを示している。
【０２０３】
図３５で示されたように、第１画像と第Ｎ画像の読み出し期間以外の読み出し期間（第２画像〜第Ｎ−１画像の読み出し期間）において、フレームメモリ２３Ｂ内の同一の領域で読み出しと書き込みが同時に発生する箇所（図中の○印）がある。したがって、フレームメモリ２３Ｂのメモリ量は、Ｎ面に加えてさらにＮ−２面、つまり、２Ｎ−２面分必要となる。
【０２０４】
このとき、第１画像〜第Ｎ画像を書き込む順番は、２Ｎ−２面を第１面〜第２Ｎ−２面に分割して考えたとき、現フレームでは第１面に第１画像→第２面に第２画像→・・・→第Ｎ面に第Ｎ画像を書込み、次フレームでは第Ｎ＋１面に第１画像、第Ｎ＋２面に第２画像→・・・→第２Ｎ−２面に第Ｎ−２画像、第１面に第Ｎ−１画像、第２面に第Ｎ画像、というように、フレームメモリの各面を循環させながら書き込んでいけばよい。この順番で書き込む場合、時分割表示装置３の読み出しは、現フレームの書き込み終了よりも１サブフレーム期間（Ｔ／Ｎ）だけ前の時刻から、第１面に記憶されている第１画像を読み出し、続いて第２面に記憶されている第２画像を読み出し、・・・、第Ｎ面に記憶されている第Ｎ画像を順次読み出していけばよい。
【０２０５】
また、次フレームの読み出しは、現フレームと同様に書き込み終了から１サブフレーム期間だけ前の時刻から、第Ｎ＋１面に記憶されている第１画像を読み出し、続いて第Ｎ＋２面に記憶されている第２画像を読み出し、・・・、第２Ｎ−２面に記憶されている第Ｎ−２画像を読み出し、第１面に記憶されている第Ｎ−１画像を読み出し、第２面に記憶されている第Ｎ画像を読み出していけばよい。
【０２０６】
つまり、フレームメモリ２３Ｂへの書き込みと同様に、循環するように読み出していけば、フレームメモリ２３Ｂ内の同一の領域で書き込みと読み込みが同時に発生することがない。なお、図３４で示したように、Ｎ＝３の場合におけるフレームメモリ２３Ｂへの書き込み・読み出しタイミングを見れば、画像を循環で書き込みおよび読み出す様子を容易に理解することができる。
【０２０７】
＜画像伝送システムの動作：点順次、バックライトブリンキング駆動＞
図３６は、バックライトブリンキング駆動に対応する画像伝送システムの動作を説明するためのタイミングチャートである。
【０２０８】
多重化部１１からＯＤ演算部２５Ａ〜２５Ｃまでの動作は、図３４で説明した動作と同様であるので、その説明は省略する。
【０２０９】
時分割表示装置３は、フレームメモリ２３Ｂから現１ＯＤ〜現３ＯＤのデータを、図３４の場合に比べてＫ倍速い速度で面順次形式で読み出す。この場合、フレームメモリ２３Ｂのメモリ量は５面分必要になる。
【０２１０】
＜メモリ量：バックライトブリンキング駆動を行う場合（Ｋ倍速走査）＞
バックライトブリンキング駆動を行う場合における、フレームメモリ２３Ｂに必要なメモリ量について説明する。
【０２１１】
図３７は、このメモリ量を説明するためのタイミングチャートである。図３７では、フレームメモリ２３Ｂのメモリ量がＮ枚の画像分ある場合（Ｎ面の場合）のフレームメモリ２３Ｂの読み出しと書き込みを示している。
【０２１２】
図３７で示されたように、第１画像の読み出し期間以外の読み出し期間（第２画像〜第Ｎ画像の読み出し期間）において、フレームメモリ２３Ｂ内の同一の領域で読み出しと書き込みが同時に発生する箇所（図中の○印）がある。したがって、フレームメモリ２３Ｂのメモリ量は、Ｎ面に加えてさらにＮ−１面、つまり、２Ｎ−１面分必要となる。
【０２１３】
このとき、第１画像〜第Ｎ画像を書き込む順番は、２Ｎ−１面を第１面〜第２Ｎ−１面に分割して考えたとき、現フレームでは第１面に第１画像→第２面に第２画像→・・・→第Ｎ面に第Ｎ画像を書込み、次フレームでは第Ｎ＋１面に第１画像、第Ｎ＋２面に第２画像→・・・→第２Ｎ−１面に第Ｎ−１画像、第１面に第Ｎ画像、というように、フレームメモリの各面を循環させながら書き込んでいけばよい。この順番で書き込む場合、時分割表示装置３の読み出しは、現フレームの書き込み終了よりも１サブフレーム期間（Ｔ／Ｎ）だけ前の時刻から、第１面に記憶されている第１画像を読み出し、続いて第２面に記憶されている第２画像を読み出し、・・・、第Ｎ面に記憶されている第Ｎ画像を順次読み出していけばよい。
【０２１４】
次フレームの読み出しは、現フレームと同様に書き込み終了から１サブフレーム期間だけ前の時刻から、第Ｎ＋１面に記憶されている第１画像を読み出し、続いて第Ｎ＋２面に記憶されている第２画像を読み出し、・・・、第２Ｎ−１面に記憶されている第Ｎ−１画像を読み出し、第１面に記憶されている第Ｎ画像を読み出していけばよい。
【０２１５】
つまり、フレームメモリ２３Ｂへの書き込みと同様に、循環するように読み出していけば、書き込みと読み込みがフレームメモリ２３Ｂ内の同一の領域で発生することがない。なお、図３６で示したように、Ｎ＝３の場合におけるフレームメモリ２３Ｂへの書き込み・読み出しタイミングを見れば、画像を循環で書き込み・読み出す様子を容易に理解することができる。
【０２１６】
＜多重化方法：点順次＋ダミー＞
図３４や図３６で説明した方法よりも、フレームメモリ２３Ｂのメモリ量を少なくすることが可能な多重化方法について説明する。
【０２１７】
この多重化方法では、図３８で示したように、多重化部１１は、第１画像〜第３画像を点順次形式で多重化した多重化画像の下にダミー画像を挿入する。なお、多重化画像の画素数とダミー画像の画素数との比率を２：１としている。このため、ダミー画像が挿入された多重化画像（ダミー入り多重化画像と称する）のサイズは、２４００画素×９００ラインとなる。
【０２１８】
＜画像伝送システムの動作：点順次＋ダミー＞
図３９は、多重化画像にダミー画像を挿入した場合における画像伝送システムの動作を説明するためのタイミングチャートである。なお、多重化画像の画素数とダミー画像の画素数との比率を２：１としている。
【０２１９】
受信部２１が受信したダミー画像入り多重化画像内のダミー画像は、不図示のコントローラにて破棄される。また、ダミー画像入り多重化画像内の画像は、ＯＤ演算部２５Ａ〜２５Ｃに入力される。ＯＤ演算部２５Ａ〜２５Ｃでの動作は、第２の実施形態などと同様であるので省略する。
【０２２０】
ＯＤ演算部２５Ａ〜２５Ｃから出力された現１ＯＤ〜現３ＯＤは、フレームメモリ２３Ｂに、受信部２１が画像を受信する速度と同じ速度で同時に書き込まれる。時分割表示装置３は、現１ＯＤ〜現３ＯＤのデータを面順次で読み出す必要があるが、図３４に比べてフレームメモリ２３Ｂへの書込み速度が速いため、フレームメモリ２３Ｂでは、３面分のメモリ量あればよい。時分割表示装置３は、第１画像〜第３画像を順次読み出して表示する。
【０２２１】
＜一般の場合：ダミー比率＞
フレームメモリを３面で収めるための、ダミー画像の画素数の、多重化画像の画素数に対する比率（以下、ダミー比率と称する）について説明する。
【０２２２】
図２８で示したように、時分割表示装置３がＮ枚の画像を面順次形式で読み出すためには、フレームメモリ２３Ｂへの書き込み速度は、Ｎ／２倍速以上であればよい。
【０２２３】
本実施形態の場合、フレームメモリ２３Ａがないので、画像送信装置１から画像処理装置２に画像が伝送される伝送速度は、フレームメモリ２３ｂへの書き込み速度と同じになる。１フレーム期間を上述のようにＴとすると、１フレーム期間のうちの２Ｔ／Ｎ以下の期間で画像を伝送させればよいので、残りの（Ｎ−２）Ｔ／Ｎの期間がダミー画像の伝送に使用される。
【０２２４】
よって、ダミー比率は、（Ｎ−２）／２以上であればよい。例えば、Ｎ＝３の場合、ダミー比率は、１／２となる。つまり、図３９は、Ｎ＝３の場合における、フレームメモリ２３を３面で済ますために必要なダミー比率が最も小さい（ダミー画像が最も小さい）例を示している。
【０２２５】
＜ダミー画像＋バックライトブリンキング＞
ダミー画像を用いてバックライトブリンキング駆動を行うこともできる。つまり、時分割表示装置３がフレームメモリ２３ＢからＯＤ画像を読み出す速度を、図３９の場合における読み出し速度のＫ倍にする。
【０２２６】
画像がＮ枚の場合、図３２に示したように、時分割表示装置がフレームメモリ２３ＢからＫ倍読み出し方式で画像を読み出す場合、フレームメモリ２３Ｂに書き込む速度は、ＫＮ／（１＋Ｋ）倍以上の速度であればよい。したがって、１フレーム期間をＴとすると、１フレーム期間のうちの、（１＋Ｋ）Ｔ／ＫＮ以下の期間で画像を伝送させればよいことから、残りの（ＫＮ−１−Ｋ）Ｔ／ＫＮの期間をダミー画像の伝送にあてればよい。ダミー比率は、｛ＫＮ−（１＋Ｋ）｝／（１＋Ｋ）以上であればよい。Ｎ＝３かつＫ＝２の場合、ダミー比率は１以上であれば、フレームメモリ２３Ｂのメモリ量を３面分で済ませることが可能になる。
【０２２７】
次に効果を説明する。
【０２２８】
本実施形態によれば、演算部は、受信部２１が多重化画像内の画像の画素値を受信するたびに、その画素値を、その多重化画像内の画像より表示順が一つ前の参照画像に基づいて変換していき、その多重化画像内の画像のそれぞれに対応するＯＤ画像を生成する。フレームメモリ２３Ｂは、演算部が生成したＯＤ画像を全て記憶する。時分割表示装置は、フレームメモリ２３Ｂが記憶した画像を表示順に表示する。
【０２２９】
この場合、多重化画像内の対象画像の画素値が、その対象画像より表示順が一つ前の参照画像に基づいて変換される。したがって、対象画像の画素値を正確に変換することが可能になるので、対象画像の画質を向上させることが可能になる。
【０２３０】
また、多重化部１１は、多重化画像に、その多重化画像の画素数の（Ｎ−２）／２倍の画素数のダミー画像を面順次形式にて多重化する。また、オーバードライブ画像の走査期間をＴｓとする。
【０２３１】
この場合、フレームメモリ２３Ｂのメモリ量の低減化を図ることが可能になる。
【０２３２】
また、多重化部１１は、多重化画像に、その多重化画像の画素数の｛ＫＮ−（１＋Ｋ）｝／（１＋Ｋ）倍の画素数のダミー画像を面順次形式にて多重化する。また、オーバードライブ画像の走査期間をＴｓ／Ｋとする。
【０２３３】
この場合、バックライトブリンキング駆動を行う場合でも、フレームメモリ２３Ｂのメモリ量の低減化を図ることが可能になる。
【０２３４】
＜第４の実施形態＞
図４０は、本発明の第４の実施形態の画像伝送システムを示したブロック図である。
【０２３５】
図４０において、画像伝送システムは、画像伝送システムは、画像送信装置１と、画像処理装置２と、時分割表示装置３とを含む。画像送信装置１は、図２３（第２の実施形態）と同じ構成を有する。また、画像処理装置２は、図２３で示した構成に加えて、フレームメモリ２３Ｃをさらに含む。
【０２３６】
第２の実施形態では、ＯＤ演算部２５Ａは、対象画像（現１）からＯＤ画像（現１ＯＤ）を生成する際に、その現１と同じフレームに含まれる現３を参照画像としていた。この場合、第３画像が静止画像であれば、前３と現３とが同じ画像になるため、現１の画素数を正確に変換することができる。しかしながら、第３画像が動画像であると、前３と現３とは異なる画像になるため、現１の画素数を正確に変換することができないなり、画質が低下するという問題があった。本実施形態では、フレームメモリ２３Ｃを用いて、第３画像が動画像であっても、現１の画素数を正確に変換することができるようにする。
【０２３７】
フレームメモリ２３は、延引手段の一例である。フレームメモリ２３は、対象画像の前のフレームにおいて表示順が最も遅い画像である前３を記憶して１フレーム期間後に出力する。フレームメモリ２３は、画像を１枚記憶することができるメモリ量を有していればよい。これにより、フレームメモリ２３Ｃは、その最後の画像を１フレーム期間だけ遅延するＦＩＦＯとして機能する。
【０２３８】
ＯＤ演算部２５Ａは、現１を対象画像とし、フレームメモリ２３にて遅延された前３の画像を参照画像として用いてオーバードライブ演算を行い、現１の画素数を変換して現１ＯＤを生成する。これにより、現３が動画像の場合に、より画質を向上させることが可能になる。
【０２３９】
＜画像伝送システムの動作：面順次形式＞
図４１は、多重化画像が面順次形式で多重化された場合における、画像伝送システムの動作を説明するためのタイミングチャートである。
【０２４０】
フレームメモリ２３Ａに現１〜現３が記憶されるまでの動作は、第２の実施形態と同様である。
【０２４１】
不図示のコントローラは、現２のフレームメモリ２３Ａへの書き込みが終了された時刻から次１の書き込みが開始される時刻までの間に、現１〜現３を３倍読み出し方式で同時に読み出すとともに、フレームメモリ２３から前３を読み出す。また、コントローラは、その読み出した現３をフレームメモリ２３Ｃに記憶する。
【０２４２】
ＯＤ演算部２５Ａ〜２Ｃは、その読み出された現１〜現３と、及びフレームメモリ２３Ｃから読み出した前３とに基づいて、オーバードライブ演算を行い３枚のＯＤ画像を生成する。
【０２４３】
具体的には、ＯＤ演算部２５Ａは、現１を対象画像とし、前３を参照画像としてオーバードライブ演算を行い、現１に対応するＯＤ画像（現１ＯＤ）を生成し、ＯＤ演算部２５Ｂは、現２を対象画像、現１を参照画像としてオーバードライブ演算を行い、現２に対応するＯＤ画像（現２ＯＤ）を生成し、ＯＤ演算部２５Ｃは、現３を対象画像とし、現２を参照画像としてオーバードライブ演算を行い、現３に対応するＯＤ画像（現３ＯＤ）を生成する。
【０２４４】
現１ＯＤ〜現３ＯＤは、フレームメモリ２３Ｂに、３倍書き込み方式で同時に書き込まれる。時分割表示装置３は、フレームメモリ２３Ｂから現１ＯＤ〜現３ＯＤを、表示順に面順次形式で読み出して表示する。
【０２４５】
なお、本実施形態では、前３や現３などの第３画像を１フレーム期間だけ遅延させるためのフレームメモリ２３Ｃを画像処理装置２が有している以外は、第２の実施形態と同じ構成を有する。したがって、多重化部１１は画像を点順次形式で多重化してもよいし、画像伝送システムがバックライトブリンキング駆動を実行するような構成でもよい。また、一般のＮ枚の画像を多重化する場合でも、第２の実施形態と同様にして実現することができる。
【０２４６】
次に効果を説明する。
【０２４７】
本実施形態によれば、フレームメモリ２３Ｃは、多重化画像内の表示順が最も遅い画像を１フレーム期間だけ遅延する。ＯＤ演算部２５Ａは、多重化画像内の表示順が最も早い画像の画素値を、フレームメモリ２３Ｃにて遅延された画像を参照画像として用いて変換する。
【０２４８】
この場合、多重化画像内の表示順が最も早い画像が動画像であっても、その画像の画素値を正確に変換することが可能になる。
【０２４９】
＜第５の実施形態＞
図４２は、本発明の第５の実施形態の画像伝送システムを示したブロック図である。
【０２５０】
図４２において、画像伝送システムは、画像伝送システムは、画像送信装置１と、画像処理装置２と、時分割表示装置３とを含む。画像送信装置１は、図３３（第３の実施形態）と同じ構成を有する。また、画像処理装置２は、図３３で示した構成に加えて、フレームメモリ２３Ｃをさらに含む。これにより、第４の実施形態と同様に、フレームメモリ２３Ｃを用いて、第３画像が動画像であっても、現１の画素数を正確に変換することができる。
【０２５１】
＜画像伝送システムの動作：点順次形式＞
図４３は、本実施形態の、画像を点順次形式で多重化する場合における画像伝送システムの動作を説明するためのタイミングチャートである。
【０２５２】
受信部２１は、受信した多重化画像内の各画像を、ＯＤ演算部２５Ａ〜２５Ｃに入力するとともに、不図示のコントローラは、受信部２１が受信した第３画像を、フレームメモリ２３Ｃに記憶する。また、コントローラは、フレームメモリから前３を読み出し、その読み出した前３をＯＤ演算部２５Ａに入力する。
【０２５３】
ＯＤ演算部２５Ａ〜２５Ｃは、受信した第１〜第３画像及び前３に基づいて、オーバードライブ演算を行い３枚のＯＤ画像を生成する。なお、ＯＤ演算部２５Ａ〜２５ＣによるＯＤ画像の生成方法は、第四の実施形態と同様である。
【０２５４】
現１ＯＤ〜現３ＯＤは、フレームメモリ２３Ｂに、３倍書き込み方式で同時に書き込まれる。時分割表示装置は、フレームメモリ２３Ｂから現１ＯＤ〜現３ＯＤを、表示順に面順次形式で読み出して表示する。
【０２５５】
なお、本実施形態では、前３や現３などの第３画像を１フレーム分遅延させるためのフレームメモリ２３Ｃを画像処理装置２が有している以外は、第３の実施形態と同じ構成を有する。したがって、多重化部１１は、ダミー入り多重化画像を生成してもよいし、画像伝送システムがバックライトブリンキング駆動を実行するような構成でもよい。また、一般のＮ枚の画像を多重化する場合でも、第３の実施形態と同様にして実現することができる。
【０２５６】
次に効果を説明する。
【０２５７】
本実施形態でも、第４の実施形態と同様に、多重化画像内の表示順が最も早い画像が動画像であっても、その画像の画素値を正確に変換することが可能になる。
【０２５８】
＜第６の実施形態＞
図４４は、本実施形態における画像伝送システムを示したブロック図である。図４４において、画像伝送システムは、図２３で示した構成と同様構成を有する。
【０２５９】
図４４においては、多重化部１１は、第１画像〜第３画像と、これらの画像を有するフレームの前のフレームの第３画像（第３Ｌ画像と称することもある）とを多重化する。なお、第３Ｌ画像は、フレーム内で最も表示順が早い第１画像より表示順が一つ前の画像となる。多重化部１１による多重化方法では、面順次形式が用いられてもよいし、点順次形式が用いられてもよい。
【０２６０】
フレームメモリ２３Ａは、受信部２１が受信した多重化画像内の第１画像〜第３画像と第３Ｌ画像とを全て記憶する。
【０２６１】
ＯＤ演算部２５Ａ〜２５Ｃは、フレームメモリ２３Ａに記憶された第１画像〜第３画像と第３Ｌ画像とに基づいて、オーバードライブ演算を行い、３枚のＯＤ画像を生成する。具体的には、ＯＤ演算部２５Ａは、第１画像を対象画像とし、第３Ｌ画像を参照画像としてオーバードライブ演算を行って、第１画像のＯＤ画像を生成する。ＯＤ演算部２５Ｂおよび２５Ｃは、第２の実施形態と同様にして、第２画像のＯＤ画像および第３画像のＯＤ画像を生成する。
【０２６２】
このように、第３Ｌ画像をさらに多重化することにより、第４の実施形態と同様に、第３画像が動画像であっても、画像の画素値を正確に変換することができる。
【０２６３】
＜多重化方法：面順次形式、点順次形式＞
本実施形態における多重化方法は、第１実施形態における図１１、図１２および図２１や、第２実施形態における図２４および図２５に示した多重化方法において、３枚の画像でなく４枚の画像を多重化する方法と同様である。
【０２６４】
画像を面順次形式で多重化する場合、各画像を、第３Ｌ画像、第１画像、第２画像および第３画像の順番に並べて多重化すればよい。
【０２６５】
一方、画像を点順次形式で多重化する場合、第３Ｌ画像および第１画像〜第３画像のそれぞれの同じ位置の画素値を並べて配置すればよい。なお、本実施形態でも、厳密に点順次形式で画像を多重化させなくてもよく、第３Ｌ画像および第１画像〜第３画像の同じ位置の画素値が、ある程度近い時間内に伝送されるように多重化されればよい。
【０２６６】
画像を面順次形式で多重化しても点順次形式で多重化しても、多重化画像のサイズは、ＤＶＩにおける伝送順が変わらない範囲で変えることができる。
【０２６７】
＜画像伝送システムの動作：面順次形式＞
図４５は、本実施形態の、画像を面順次形式で多重化する場合における画像伝送システムの動作を説明するためのタイミングチャートである。
【０２６８】
受信部２１が受信した多重化画像内の各画像は、不図示のコントローラにてフレームメモリ２３Ａに記憶される。本実施形態のフレームメモリ２３Ａは、第３Ｌ画像、第１画像〜第３画像の全てを記憶できるメモリ量を有する。
【０２６９】
より具体的には、コントローラは、前３、現１〜現３を順次フレームメモリ２３Ａに書き込んでいき。コントローラは、フレームメモリ２３Ａ内の前３、現１〜現３を、現３の書き込みが終了された時刻から次３の書き込みが開始される時刻までの間に、前３、現１〜現３を同時に読み出す。この読み出し速度は、フレームメモリ２３Ａへの書き込み速度の４／３倍の速度である。つまり、コントローラは、１フレーム期間の１／３の期間で、現１〜現３を全て読み出せる速度（３倍速）でその現１〜現３を読み出す。
【０２７０】
ＯＤ演算部２５Ａ〜２５Ｃは、その読み出された前３、現１〜現３に基づいてオーバードライブ演算を行って、ＯＤ画像を生成する。
【０２７１】
具体的には、ＯＤ演算部２５Ａは、現１を対象画像、前３を参照画像としてオーバードライブ演算を行い、現１に対応するＯＤ画像（現１ＯＤ）を生成し、ＯＤ演算部２５Ｂは、現２を対象画像、現１を参照画像としてオーバードライブ演算を行い、現２に対応するＯＤ画像（現２ＯＤ）を生成し、ＯＤ演算部２５Ｃは、現３を対象画像、現２を参照画像とオーバードライブ演算を行い、現３に対応するＯＤ画像（現３ＯＤ）を生成する。
【０２７２】
現１ＯＤ〜現３ＯＤは、フレームメモリ２３Ｂに、３倍書き込み方式にて同時に書き込まれる。時分割表示装置３は、フレームメモリ２３Ｂに記憶された現１ＯＤ〜現３ＯＤを、面順次形式で表示順に読み出して表示する。ここで、時分割表示装置３は、現１ＯＤ〜現３ＯＤをＫ倍速で読み出せば、バックライトブリンキング駆動が可能となる。
【０２７３】
＜画像伝送システムの動作：点順次形式＞
図４６は、本実施形態の、画像を点順次形式で多重化する場合における画像伝送システムの動作を説明するためのタイミングチャートである。
【０２７４】
受信部２１が受信した多重化画像内の各画像は、不図示のコントローラにてフレームメモリ２３Ａに記憶される。ここで、各画像は点順次形式で多重化されているので、コントローラは、前３、現１〜現３のそれぞれを同時にフレームメモリ２３Ａに記憶していくことになる。
【０２７５】
コントローラは、多重化画像が次のフレームに切り替わると、書込みアドレスを先頭に戻して、前３、次１〜次３を、前３、現１〜現３と同様にフレームメモリ２３Ａに書き込んでいく。
【０２７６】
コントローラは、フレームメモリ２３Ａ内の、前３、現１〜現３を、これらの画像の書き込みが終了された時刻の１サブフレーム期間（１／３フレーム期間）前から、これらの画像の書き込みが終了された時刻までの間に、これらの画像を同時に読み出す。なお、この画像の読み出し速度は、フレームメモリ２３Ａへの書き込み速度の３倍である。
【０２７７】
ＯＤ演算部２５Ａ〜２５Ｃは、その読み出された前３、現１〜現３に基づいて、ＯＤ画像を生成する。なお、ＯＤ画像の生成方法は、画像を面順次形式で多重化した場合と同様である。
【０２７８】
現１ＯＤ〜現３ＯＤは、フレームメモリ２３Ｂに、３倍書き込み方式にて同時に書き込まれる。時分割表示装置３は、フレームメモリ２３Ｂに記憶された現１ＯＤ〜現３ＯＤを、面順次形式で表示順に読み出して表示する。ここで、時分割表示装置３は、現１ＯＤ〜現３ＯＤをＫ倍速で読み出せば、バックライトブリンキング駆動が可能となる。
【０２７９】
＜Ｎ枚の画像を多重化する場合＞
時分割表示装置３がＮ枚の画像を１フレーム期間に順次表示する場合、多重化部１１は、Ｎ枚の画像（第１画像〜第Ｎ画像）と、その画像を含むフレームの前のフレームの第Ｎ画像（第ＮＬ画像と称することもある）とを多重化する。
【０２８０】
この場合、図２８で示されたように、フレームメモリ２３Ｂへの書き込み速度は、Ｎ／２倍速以上でよい。しかしながら、フレームメモリ２３Ｂへの書き込みでは、第ＮＬ画像も書き込まれているため、フレームメモリ２３Ｂ内の各画像からＮ／２倍速で同時に読み出すことはできない。
【０２８１】
図４４は、フレームメモリ２３ＡからＮ＋１面の画像を読み出す動作を説明するためのタイミングチャートである。
【０２８２】
図４４で示されたように、第ＮＬ画像、第１画像〜第Ｎ画像の（Ｎ＋１）枚の画像が同時に読み出されるためには、１フレーム期間をＴとしたとき、その（Ｎ＋１）枚の画像は、２Ｔ／（Ｎ＋１）の期間以下で読み出されなければならない。したがって、コントローラは、（Ｎ＋１）枚の画像を（Ｎ＋１）／２倍速以上の速度で読み出せばよい。Ｎ＝３の場合、コントローラは、（３＋１）／２＝２倍速以上の速度で読み出せばよい。
【０２８３】
時分割表示装置３がフレームメモリ２３Ｂ内の画像をＫ倍速で読み出す場合、図３２で示されたように、フレームメモリ２３Ｂへの書き込み速度は、ＫＮ／（１＋Ｋ）倍速以上であればよい。
【０２８４】
また、フレームメモリ２３Ａからの読み出し速度は、図４７で求めたフレームメモリ２３Ａの読み出し速度の最低値「（Ｎ＋１）／２倍速」と、図４７で求めたフレームメモリ２３Ｂへの書き込み速度の最低値「ＫＮ／（１＋Ｋ）倍速」とのうち、速い方の速度以上で読み出せばよい。例えば、Ｎ＝４かつＫ＝２の場合、フレームメモリ２３Ａからの読み出し速度の最低値は（４＋１）／２＝２．５倍速となり、フレームメモリへ２３Ｂへの書込み速度の最低値は（２×４）／（１＋２）＝８／３倍速となる。したがって、２．５＜８／３なので、フレームメモリ２３Ａからの読み出し速度は、フレームメモリ２３Ｂへの書き込みの速度の最低値である８／３倍速以上の速度が必要となる。
【０２８５】
また、４つの画像を点順次形式で多重化した場合、フレームメモリ２３Ａからの読み出し速度、常に０．５倍速以上であるから、フレームメモリ２３Ａからの読み出し速度の最低値は、フレームメモリ２３Ｂからの読み出しの最低速度によって規定される。具体的には、フレームメモリ２３Ａからの読み出し速度の最低値は、Ｎ／２倍速となる。
【０２８６】
次に効果を説明する。
【０２８７】
本実施形態では、多重化部１１は、第１画像より表示順が１つ前の画像（第３Ｌ画像）をさらに多重化する。ＯＤ演算部２５Ａは、多重化画像内の第１画像の画素値を、多重化画像内の第３Ｌ画像を用いて変換する。
【０２８８】
この場合、多重化画像内の表示順が最も早い画像である第１画像が動画像であっても、その第１画像の画素値を正確に変換することが可能になる。
【０２８９】
＜第７の実施形態＞
図４８は、本発明の第７の実施形態の画像伝送システムを示したブロック図である。図４８において、画像伝送システムは、図３３で示した構成と同様な構成を有する。
【０２９０】
図４８において、多重化部１１は、第１画像〜第３画像と、第６の実施形態と同様に、第３Ｌ画像とを多重化する。多重化部１１による多重化方法では、点順次形式が用いられる。
【０２９１】
このように前フレームの第３画像も含めて多重化するメリットは、第４実施形態や第６実施形態と同様に第３画像が動画であっても正確なオーバードライブを実現できることである。
【０２９２】
＜画像伝送システムの動作：点順次形式＞
図４９は、本実施形態の画像伝送システムの動作を説明するためのタイミングチャートである。
【０２９３】
多重化画像内の第１〜第３画像は点順次形式で多重化されているため、受信部２１は、第１〜第３画像の同じ位置の画素値を略同時に受信する。このため、その同じ位置の画素値のそれぞれは、フレームメモリ２３Ａを介さずに、演算部に入力される。
【０２９４】
ＯＤ演算部２５Ａ〜２５Ｃの動作は、第６の実施形態と同様なので詳細な説明は省略する。
【０２９５】
ＯＤ演算部２５Ａ〜２５Ｃのそれぞれで生成された現１ＯＤ〜現３ＯＤは、フレームメモリ２３Ｂに１倍速で同時に書き込まれる。このとき、時分割表示装置３は、現１ＯＤ〜現３ＯＤを面順次形式で読み出す必要があるため、第３の実施形態と同様に、フレームメモリ２３Ｂのメモリ量は、多重化においてダミー画像を挿入しない場合、４面以上、時分割表示装置３の表示速度が１倍速よりも速い（Ｋ倍速）の場合、５面以上が必要になる。
【０２９６】
ダミーが挿入される場合、フレームメモリ２３Ｂのメモリ量は、３面以上でよい。この場合、ダミー比率は、第３実施形態の図３７で示したように、（Ｎ−２）／２であればよい。なお、Ｎはあくまで画像の系統数であり、多重化部１１において多重化する画像の枚数ではない。例えば、多重化部１１において第１画像〜第３画像と第Ｌ画像とを多重化する場合、Ｎは３となる。
【０２９７】
これにより、多重化部１１は、第３Ｌ画像、第１画像〜第３画像の４つの画像を点順次形式で多重化して３２００画素×６００ラインの画像を伝送する場合、ダミー画像の大きさは多重化画像の（３−２）／２＝１／２の大きさ、つまり３２００画素×３００ラインとなる。時分割表示装置３は、その読み出した第１画像〜第３画像を、表示順に表示する。また、時分割表示装置は、それらの画像を、Ｋ倍速の速度で読み出せば、バックライトブリンキング駆動が可能となる。
【０２９８】
次に効果を説明する。
【０２９９】
本実施形態でも、第６の実施形態と同様に、多重化画像内の表示順が最も早い画像である第１画像が動画像であっても、その第１画像の画素値を正確に変換することが可能になる。
【０３００】
＜実施例＞
上述のように、画像伝送システムは、複数系統の画像または高速動画像を伝送させることができる。
【０３０１】
先ず、複数系統の画像を伝送させる場合の実施例として、多重化画像に含まれる複数系統の画像を、光シャッタを用いて選択的にユーザに知覚させることが可能な画像伝送システムを説明する。
【０３０２】
図５０は、本実施例における時分割表示装置３の構成例を示したブロック図である。図４７において、時分割表示装置３は、図１３Ａで示した構成に加えて、光シャッタ制御回路３ｄと、光シャッタ３ｅを含む。
【０３０３】
光シャッタ制御回路３ｄは、制御回路３ｂから、多重化画像の垂直同期信号や水平同期信号などの制御信号を受け付け、その制御信号に基づいて、光シャッタ３ｅのオン（光の透過状態）およびオフ（光の遮断状態）を切り替える。
【０３０４】
光シャッタ３ｅは、例えば、液晶により選択的に光を透過または遮断可能なめがねなどである。なお、光シャッタ３ｅ（液晶めがね）は、ひとつでもよいし、複数でもよい。
【０３０５】
初めに、複数系統の画像が互いに関連性のない画像の場合について説明する。互いに関連性のない画像の例としては、図５に示した３系統の画像や図５１に示した４系統の画像などが挙げられる。
【０３０６】
図５２は、複数系統の画像が互いに関連性のない画像の場合における、時分割表示装置３の動作を説明するためのタイミングチャートである。なお、複数系統の画像としては、図５３で示した４系統の画像（第１画像〜第４画像）を用いる。
【０３０７】
時分割表示装置３は、１フレームのうちに、４系統の画像を、第１画像→第２画像→第３画像→第４画像の順に表示する。つまり、１フレーム期間（１６．７ｍｓｅｃ）中に第１〜第４画像を表示する。このため、１サブフレーム期間は１／６０×１／４≒４．２ｍｓｅｃとなる。
【０３０８】
また、第１画像〜第４画像のいずれかを選択してユーザに知覚させるために、光シャッタ３ｅとして、オン（光を透過する状態）となる期間が互いに異なる４種類の光シャッタを用いる。以下、光シャッタ３ｅのそれぞれを、ｃｈ１〜ｃｈ４の光シャッタ３ｅと称する。また、ｃｈ１〜ｃｈ４の光シャッタ３ｅのそれぞれは、第１画像〜第４画像のそれぞれに対応するものとする。
【０３０９】
この場合、光シャッタ制御回路３ｄは、ｃｈ１の光シャッタ３ｅを、第１画像が表示されている期間、透過状態にし、その他の期間、遮光状態にする。また、光シャッタ制御回路３ｄは、ｃｈ２の光シャッタ３ｅを、第２画像が表示されている期間、透過状態にし、その他の期間、遮光状態にする。さらに、光シャッタ制御回路３ｄは、ｃｈ３の光シャッタ３ｅを、第３画像が表示されている期間、透過状態にし、その他の期間、遮光状態にする。そして、光シャッタ制御回路３ｄは、ｃｈ４の光シャッタ３ｅを、第４画像が表示されている期間、透過状態にし、その他の期間、遮光状態にする。
【０３１０】
なお、光シャッタ３ｅを４種類設ける代わりに、光シャッタ３ｅとして、透過状態となる期間を切り替えることが可能なものを用いてもよい。なお、この切り替えは、光シャッタ３ｅで行われてもよいし、時分割表示装置３の本体で行われてもよい。また、ユーザは光シャッタ３ｅを介さずに見ると、第１〜第４の動画像が重なった映像が知覚される。
【０３１１】
図５３は、時分割表示装置３による走査期間を説明するためのタイミングチャートである。なお、第１〜第４画像を選択的に知覚させると同時に画像間のクロストークを低減するために、時分割表示装置３はバックライトブリンキング駆動を行うことが望ましい。
【０３１２】
図５３で示したように、時分割表示装置３は、各１サブフレーム期間のうちの、略半分の期間で走査し、その後、液晶の応答を待ってからナックライトを点灯させる。また、ｃｈ１〜ｃｈ４光シャッタはそれぞれ、第１〜第４画像が表示されるタイミングに同期してオン（透過状態）となるように制御される。
【０３１３】
第１画像〜第４画像を伝送させる場合における画像伝送システムの動作について説明する。
【０３１４】
図５１で示したように、第１画像〜第４画像は、多重化部１１にて面順次形式または点順次形式で多重化され、所定の映像伝送路を介して画像処理装置２に伝送される。それらの画像には、画像処理装置２のＯＤ演算部２５またはＯＤ演算部２５Ａ〜２５Ｃにて、１サブフレーム前の画像を参照画像としてオーバードライブ演算が行われる。第４画像が動画像の場合、第６の実施形態および第７の実施形態で説明したように第１画像〜第４画像に加えて前のフレームの第４画像も多重化して伝送すればよい。これにより、第１画像は前のフレームの第４画像を参照画像としてオーバードライブ演算が行われる。
【０３１５】
以上により、図５１のように光シャッタ３ｅを用いて画像を選択的に知覚させる場合において、クロストークのない高画質な映像を表示させることが可能になる。
【０３１６】
続いて、複数系統の画像が互いに関連性のある画像の場合について説明する。互いに関連性のある画像の例としては、図５４で示した右目画像および左目画像を有する立体画像が挙げられる。
【０３１７】
図５５は、立体画像をユーザに知覚させるための時分割表示装置３の動作を説明するためのタイミングチャートである。この場合、光シャッタ３ｅは、右目画像に対応する右目用の光シャッタと、左目画像に対応する左目用の光シャッタとを有する。
【０３１８】
また、時分割表示装置３は、１フレーム期間のうちに、左目画像→右目画像の順で表示する。つまり、１フレーム期間（１６．７ｍｓｅｃ）中に左目画像と右目画像を表示する。このため、１サブフレーム期間は１／６０×１／２＝８．３ｍｓｅｃとなる。
【０３１９】
光シャッタ制御回路３ｄは、右目画像が表示されている期間、右目用の光シャッタ３ｅを透過状態にし、左目用の光シャッタ３ｅを遮断状態とする。また、光シャッタ制御回路３ｄは、左目画像が表示されている期間、左目用の光シャッタ３ｅを透過状態にし、右目用の光シャッタ３ｅを遮断状態とする。
【０３２０】
これにより、右目と左目に互いに異なる画像が入射され、ユーザに立体画像が知覚される。本実施例でも、光シャッタ３ｅを用いているため、時分割表示装置３に液晶表示装置を用いる場合には、バックライトブリンキング駆動が行われることが望ましい。
【０３２１】
右目画像と左目画像を伝送させる場合における画像伝送システムの動作について説明する。
【０３２２】
図５４で示したように、左目画像および右目画像は、多重化部１１にて面順次形式または点順次形式にて多重化され、既存の映像伝送路（ＤＶＩ等）を介して画像処理装置２に伝送される。それらの画像には、画像処理装置２のＯＤ演算部２５またはＯＤ演算部２５Ａ〜２５Ｃにて、１サブフレーム前の画像を参照画像としてオーバードライブ演算が行われる。つまり、右目画像には、左目画像が参照画像としてオーバードライブ演算が行われ、左目画像には、右目画像が参照画像としてオーバードライブ演算が行われる。なお、右目画像が共に動画像の場合、第６の実施形態および第７の実施形態で説明したように左目画像および右目画像に加えて前のフレームの左目画像も多重化して伝送すればよい。
【０３２３】
以上により、右目画像および左目画像のそれぞれに適切なオーバードライブ演算が行われるので、高画質な立体映像をユーザに知覚させることができる。
【０３２４】
続いて、複数系統の画像が互いに関連性のある画像の他の例について説明する。本画像は、図５６で示したように、光シャッタ３ｅを介して時分割表示装置のディスプレイを見る人だけが知覚することができる秘密画像と、秘密画像を打ち消して秘密画像と関係のない画像を知覚させるための反転画像と、光シャッタをかけていない人に知覚させるための公衆画像とを有するセキュア画像である。
【０３２５】
図５７は、セキュア画像をユーザに知覚させるための時分割表示装置３の動作を説明するためのタイミングチャートである。時分割表示装置３は、セキュア画像を、１フレーム期間のうちに、秘密画像→反転画像→公衆画像の順に表示する。
【０３２６】
光シャッタ制御回路３ｄは、光シャッタ３ｅを、秘密画像が表示されている期間、透過状態にし、その他の期間、遮断状態にする。
【０３２７】
これにより、光シャッタ３ｅを介して時分割表示装置３のディスプレイを見た人だけが秘密画像を知覚させることができる。光シャッタ３ｅを介さずに時分割表示装置３のディスプレイを見た人には、視覚の時間積分効果によって秘密画像と反転画像が時間的に相殺されてグレーの画像となり、公衆画像のみが知覚される。また、本実施例でも、光シャッタ３ｅを用いているため、時分割表示装置３に液晶表示装置を用いる場合には、光シャッタ装着時のクロストーク低減のために、バックライトブリンキング駆動が行われることが望ましい。
【０３２８】
セキュア画像を伝送させる場合における画像伝送システムの動作について説明する。
【０３２９】
図５６で示したように、秘密画像、反転画像および公衆画像は、多重化部１１にて面順次形式または点順次形式にて多重化され、既存の映像伝送路（ＤＶＩ等）を介して画像処理装置２に伝送される。それらの画像には、画像処理装置２のＯＤ演算部２５またはＯＤ演算部２５Ａ〜２５Ｃにて、１サブフレーム前の画像を参照画像としてオーバードライブ演算が行われる。つまり、反転画像には、秘密画像が参照画像としてオーバードライブ演算が行われ、公衆画像には、反転画像が参照画像としてオーバードライブ演算が行われ、秘密画像には、公衆画像が参照画像としてオーバードライブ演算が行われる。公衆画像が動画像の場合は、第６の実施形態および第７の実施形態で説明したように秘密画像、反転画像および公衆画像に加えて、前のフレームの公衆画像も多重化して伝送すればよい。
【０３３０】
なお、オーバードライブ演算以外にも、画像処理装置２に画像間演算部２４を設けることで、様々な画像処理を施すことができる。
【０３３１】
具体的には、画像間演算部２４は、多重化画像内の各対象画像と、その多重化画像内の他の画像とに基づいて、その対象画像に画像処理を施す。
【０３３２】
例えば、第１の実施形態の場合、多重化画像内の対象画像と、フレームメモリ２３で遅延された参照画像とに基づいて対象画像に画像処理を施す。
【０３３３】
また、第２の実施形態〜第７の実施形態では、同じフレーム内の画像のそれぞれを用いて画像処理を施すことが可能である。例えば、画像間演算部２４は、秘密画像と反転画像の輝度を半分に落とし、反転画像と公衆画像を演算（例えば、加算）して混合することにより公衆画像のコントラストを高めることができる。なお、多重化部１１が前フレームの画像（第ＮＬ画像）も多重化する場合、画像間演算部２４は、その第ＮＬ画像をさらに用いて画像処理を行ってもよい。
【０３３４】
また、画像間演算部２４が秘密画像または反転画像の輝度値に応じて公衆画像に所定の画像処理を行い、秘密画像をより見えにくくすることができる。
【０３３５】
以上により、秘密画像、反転画像および公衆画像のそれぞれに適切なオーバードライブ演算を行うことが可能になるので、高画質なセキュア画像をユーザに知覚させることが可能になる。
【０３３６】
特に、本実施例では、光シャッタ３ｅを介さずにディスプレイを見る人に秘密画像が認識されることを防ぐために、各画像の階調が正確に表示できることが望ましい。本実施例では、各画像には、１サブフレーム前の画像を参照画像としてオーバードライブ演算が行われるので、液晶の応答遅延を補償し、所望の階調を正確に表示することが可能となる。したがって、秘密画像の秘匿性を高めることが可能になる。
【０３３７】
以上の各実施例において、伝送される画像は、静止画像でもよいし、動画像でもよい。その画像が静止画像の場合、１秒間に６０枚の同じ画像が伝送され、その画像が動画像の場合、１秒間に６０枚の互いに異なる画像が伝送される。なお、多重化画像の伝送速度を６０ＦＰＳとしているので、多重化画像内の各画像の表示速度は、６０ＦＰＳでなくてもよい。例えば、各画像の表示速度は、３０ＦＰＳでも１５ＦＰＳでもよい。この場合、多重化画像の２フレームまたは４フレームに亘って同じ多重化画像を伝送される。また、多重化画像に多重化される複数系統の画像には、動画像と静止画像とが混在してもよい。
【０３３８】
次に、高速動画像を伝送させる場合の実施例について説明する。
【０３３９】
図５８は、高速動画像の一例を示した説明図である。ＤＶＩ等の既存の映像伝送方式では伝送可能なフレーム周波数は６０Ｈｚであるが、図５８で示した高速動画像のフレーム周期は、６０Ｈｚより高い１８０Ｈｚ等となっている。この場合でも、本画像伝送システムでは、高速動画像を、既存の映像伝送方式を用いて伝送させるとともに、オーバードライブ演算を行うことにより、高画質でボケのないクリアな画像として表示することが可能になる。
【０３４０】
図５８で示したように、高速動画像は６０Ｈｚより高いフレーム周波数（図５８では、１８０Ｈｚ）を有するため、そのままでは、既存の映像伝送方式を用いて伝送させることができない。
【０３４１】
しかしながら、本画像伝送システムを用いて、高速動画像のうち、時間的に隣接するＮ個のフレームのそれぞれを、１／６０秒単位で１枚の画像に多重化して伝送すれば、伝送路が６０Ｈｚであっても伝送することができる。
【０３４２】
具体的には、図５９で示したように、フレーム周波数が１８０Ｈｚの高速動画像であれば、時間的に隣接する３フレームを多重化して伝送すればよいことがわかる。このとき、時分割表示装置３で表示される順番に応じて多重化されることが重要である。つまり、図５９において、３フレームを面順次形式で多重化する場合、時分割表示装置３で表示される順番が第１フレーム→第２フレーム→第３フレーム→・・・であることから、多重化部１１は、第１フレーム、第２フレーム、第３フレームの順に面順次形式で多重化する。
【０３４３】
図５９のように、第１フレーム〜第３フレームを多重化する場合、第４の実施形態や第５の実施形態の画像伝送システムであれば、正確なオーバードライブ演算を行うことが可能であるが、第２の実施形態や第３の実施形態の画像伝送システムの場合、画像処理装置２のＯＤ演算部において、第１フレームには、第３フレームが参照画像としてオーバードライブ演算が行われるため、１フレーム前の画像ではない画像に基づいてオーバードライブ演算が行われることになり、画質が低下する。
【０３４４】
したがって、図６０で示したように、第４フレーム〜第６フレームを多重化する際、第６の実施形態や第７の実施形態のように、第４フレームより１フレーム前の画像である第３フレームをさらに多重化するのが望ましい。この場合、画像処理装置２では、第６の実施形態または第７の実施形態で説明した方法でオーバードライブ演算が行われればよい。
【０３４５】
このようにすれば、常に時間的に１フレーム前の画像からオーバードライブすることができ、高画質でボケのない高速動画表示を実現することができる。
【０３４６】
以上により、高画質でボケのない、クリアな高速動画像表示が可能となる。ここではＤＶＩについて説明したが、ＨＤＭＩやＤｉｓｐｌａｙＰｏｒｔのように規格上でフレーム周波数が１２０Ｈｚにまで対応している映像インターフェースを用いる場合でも本発明の考え方を適用できることは言うまでもない。１２０Ｈｚのインターフェースであれば、２４０Ｈｚの動画や、３６０Ｈｚ以上の動画なども伝送することができる。
【０３４７】
以上説明した各実施形態および実施例を用いて本発明について説明したが、本発明は、上記実施形態および実施例にのみ限定されるものではなく、本願特許請求の範囲の各請求項の発明の範囲内で当業者であればなし得る各種変形および修正を含む。
【０３４８】
この出願は、２００９年１月２８日に出願された、日本出願特願２００９−１６６０８号公報、日本出願特願２００９−１６６０９号公報、日本出願特願２００９−１６６１０号公報および日本出願特願２００９−１６６１１号公報を基礎とする優先権を主張し、その開示の全てをここに取り込む。
【図１】
0005472122.tif 000002
【図２】
0005472122.tif 000003
【図３】
0005472122.tif 000004
【図４】
0005472122.tif 000005
【図５】
0005472122.tif 000006
【図６】
0005472122.tif 000007
【図７】
0005472122.tif 000008
【図８】
0005472122.tif 000009
【図９】
0005472122.tif 000010
【図１０】
0005472122.tif 000011
【図１１】
0005472122.tif 000012
【図１２】
0005472122.tif 000013
【図１３Ａ】
0005472122.tif 000014
【図１３Ｂ】
0005472122.tif 000015
【図１４】
0005472122.tif 000016
【図１５】
0005472122.tif 000017
【図１６】
0005472122.tif 000018
【図１７】
0005472122.tif 000019
【図１８】
0005472122.tif 000020
【図１９】
0005472122.tif 000021
【図２０】
0005472122.tif 000022
【図２１】
0005472122.tif 000023
【図２２】
0005472122.tif 000024
【図２３】
0005472122.tif 000025
【図２４】
0005472122.tif 000026
【図２５】
0005472122.tif 000027
【図２６】
0005472122.tif 000028
【図２７】
0005472122.tif 000029
【図２８】
0005472122.tif 000030
【図２９】
0005472122.tif 000031
【図３０】
0005472122.tif 000032
【図３１】
0005472122.tif 000033
【図３２】
0005472122.tif 000034
【図３３】
0005472122.tif 000035
【図３４】
0005472122.tif 000036
【図３５】
0005472122.tif 000037
【図３６】
0005472122.tif 000038
【図３７】
0005472122.tif 000039
【図３８】
0005472122.tif 000040
【図３９】
0005472122.tif 000041
【図４０】
0005472122.tif 000042
【図４１】
0005472122.tif 000043
【図４２】
0005472122.tif 000044
【図４３】
0005472122.tif 000045
【図４４】
0005472122.tif 000046
【図４５】
0005472122.tif 000047
【図４６】
0005472122.tif 000048
【図４７】
0005472122.tif 000049
【図４８】
0005472122.tif 000050
【図４９】
0005472122.tif 000051
【図５０】
0005472122.tif 000052
【図５１】
0005472122.tif 000053
【図５２】
0005472122.tif 000054
【図５３】
0005472122.tif 000055
【図５４】
0005472122.tif 000056
【図５５】
0005472122.tif 000057
【図５６】
0005472122.tif 000058
【図５７】
0005472122.tif 000059
【図５８】
0005472122.tif 000060
【図５９】
0005472122.tif 000061
【図６０】
0005472122.tif 000062